(57)【要約】【課題】所定の時間ユーザからファイルデータへのアクセスがない場合に、開いたファイルデータを自動的に閉じる。【解決手段】本発明に係る表示システムは、ファイル識別子を格納するファイル識別子格納部と、ファイル識別子を情報処理装置に送信してファイルデータを受信する表示側通信部と、ファイルデータを表示する表示部とを有する表示装置と、ファイル識別子で識別されるファイルデータを取得して表示装置に送信するファイルデータ取得部と、ユーザによる編集または閲覧を可能な状態にすべく、ファイルデータを開くファイルデータオープン制御部と、ファイルデータに対して所定の時間アクセスがない場合に、ユーザによる編集または閲覧を不可能な状態にすべく、ファイルデータを閉じるファイルデータクローズ制御部とを有する情報処理装置とを備える。【選択図】図２
2007334864.tif 000002
【特許請求の範囲】
【請求項１】
ファイルデータを表示する第１表示装置と、
ユーザによるファイルデータの編集または閲覧を管理する第１情報処理装置と
を備える表示システムであって、
前記第１表示装置は、
ファイルデータを識別するファイル識別子を格納するファイル識別子格納部と、
前記ファイル識別子格納部が格納しているファイル識別子を前記第１情報処理装置に送信して、前記ファイル識別子格納部が格納しているファイル識別子で識別されるファイルデータを受信する表示側通信部と、
前記表示側通信部が受信したファイルデータを表示する表示側表示部と
を有し、
前記第１情報処理装置は、
前記表示側通信部が送信したファイル識別子で識別されるファイルデータを取得して前記第１表示装置に送信する第１ファイルデータ取得部と、
ユーザによる編集または閲覧を可能な状態にすべく、前記第１ファイルデータ取得部が取得したファイルデータを開くファイルデータオープン制御部と、
前記ファイルデータオープン制御部が開いたファイルデータに対して予め定められた第１の時間アクセスがない場合に、ユーザによる編集または閲覧を不可能な状態にすべく、前記ファイルデータオープン制御部が開いたファイルデータを閉じる第１ファイルデータクローズ制御部と
を有する表示システム。
【請求項２】
前記ファイルデータオープン制御部が、ユーザによる編集および閲覧を可能な状態にすべく、前記第１ファイルデータ取得部が取得したファイルデータを開いた場合、
前記第１ファイルデータクローズ制御部は、前記ファイルデータオープン制御部が開いたファイルデータに対して前記第１の時間より短い予め定められた第２の時間アクセスがない場合に、ユーザによる編集を不可能な状態にすべく、前記ファイルデータオープン制御部が開いたファイルデータを読み取り専用にする
請求項１に記載の表示システム。
【請求項３】
前記第１情報処理装置は、
前記表示側通信部が送信した前記ファイル識別子格納部が格納しているファイル識別子を受信する第１処理側通信部
をさらに有し、
前記表示側通信部は、前記ファイル識別子格納部が格納しているファイル識別子を予め定められた第３の時間間隔で送信し、
前記第１ファイルデータクローズ制御部は、前記第３の時間より長い予め定められた第４の時間、前記第１処理側通信部が前記表示側通信部からファイル識別子を受信しない場合に、前記ファイルデータオープン制御部が開いたファイルデータを閉じる
請求項１に記載の表示システム。
【請求項４】
前記第１表示装置は、電力が供給されていない状態でファイルデータを視認可能に表示保持する電子ペーパである
請求項１に記載の表示システム。
【請求項５】
前記第１表示装置は、
前記表示側表示部が表示しているファイルデータの更新日時を格納する更新日時格納部
をさらに有し、
前記表示側通信部は、前記更新日時格納部が格納している更新日時を前記第１情報処理装置にさらに送信し、
前記第１情報処理装置は、
前記表示側通信部が送信した更新日時と、前記第１ファイルデータ取得部が取得したファイルデータの更新日時とから、前記表示側表示部が表示しているファイルデータの更新の有無を判断する更新有無判断部と、
前記更新有無判断部がファイルデータの更新があると判断した場合に、前記表示側表示部が表示しているファイルデータが更新されている旨を示す更新情報を前記第１表示装置に通知する更新有無通知部と
をさらに有し、
前記表示側表示部は、前記更新有無通知部から通知された更新情報を表示する
請求項１に記載の表示システム。
【請求項６】
前記ファイル識別子格納部は、患者ごとの電子カルテのファイルデータを識別するファイル識別子を格納し、
前記表示側通信部は、前記ファイル識別子格納部が格納しているファイル識別子を前記第１情報処理装置に送信して、前記ファイル識別子格納部が格納しているファイル識別子で識別される電子カルテのファイルデータを受信し、
前記表示側表示部は、前記表示側通信部が受信した電子カルテのファイルデータを表示する
請求項１に記載の表示システム。
【請求項７】
予め定められた範囲に磁界を発生して前記第１表示装置に電力を給電する第１給電装置
をさらに備え、
前記第１表示装置は、
前記第１給電装置が発生した磁界から電力を受電する受電部
をさらに有し、
前記表示側通信部は、前記予め定められた範囲内に前記第１表示装置が配置されて、前記受電部が電力を受電した場合に、受電した電力を用いて、前記ファイル識別子格納部が格納しているファイル識別子を前記第１情報処理装置に送信して、前記ファイル識別子格納部が格納しているファイル識別子で識別されるファイルデータを受信する
請求項１に記載の表示システム。
【請求項８】
前記第１情報処理装置は、
ユーザによって指定されたファイルデータを識別するファイル識別子を受け付ける情報入力部と、
前記情報入力部が受け付けたファイル識別子と同一のファイル識別子が、前記表示側通信部から送信されていることを検出する電子ペーパ検出部と
をさらに有し、
前記ファイルデータオープン制御部は、前記表示側通信部から同一のファイル識別子が送信されたことを前記電子ペーパ検出部が検出した場合に、ユーザによる編集または閲覧を可能な状態にすべく、前記第１ファイルデータ取得部が取得したファイルデータを開く
請求項１に記載の表示システム。
【請求項９】
前記表示側通信部は、所定時間間隔で、前記ファイル識別子格納部が格納しているファイル識別子を前記第１情報処理装置に送信し、
前記電子ペーパ検出部は、前記ファイルデータオープン制御部がファイルデータを開いた後、前記所定時間間隔で、前記表示側通信部から同一のファイル識別子が送信されていることを検出し、
前記第１ファイルデータクローズ制御部は、前記表示側通信部から同一のファイル識別子が送信されていないことを前記電子ペーパ検出部が検出した場合に、ユーザによる編集または閲覧を不可能な状態にすべく、前記ファイルデータオープン制御部が開いたファイルデータを閉じる
請求項８に記載の表示システム。
【請求項１０】
前記表示側通信部から同一のファイル識別子が送信されているか否かに応じたファイルデータの編集権限または閲覧権限を、ファイル識別子に対応づけて格納する権限格納部
をさらに備え、
前記第１ファイルデータオープン制御部および前記第１ファイルデータクローズ制御部は、前記権限格納部が格納している編集権限または閲覧権限に応じて、ファイルデータを開閉する
請求項９に記載の表示システム。
【請求項１１】
ユーザによるファイルデータの編集または閲覧を管理する第２情報処理装置
をさらに備え、
前記第２情報処理装置は、
前記表示側通信部が送信したファイル識別子で識別されるファイルデータを取得して前記第１表示装置に送信する第２ファイルデータ取得部と、
ユーザによる編集または閲覧を可能な状態にすべく、前記第２ファイルデータ取得部が取得したファイルデータを開く第２ファイルデータオープン制御部と、
前記第２ファイルデータオープン制御部が開いたファイルデータに対して予め定められた第１の時間アクセスがない場合に、ユーザによる編集または閲覧を不可能な状態にすべく、前記第２ファイルデータオープン制御部が開いたファイルデータを閉じる第２ファイルデータクローズ制御部と
を備え、
前記第１ファイルデータクローズ制御部は、前記第２ファイルデータオープン制御部が前記第２情報処理装置に対してファイルデータを編集可能な状態にした場合に、前記第１情報処理装置に対して当該ファイルデータを編集不可能な状態にする
請求項１に記載の表示システム。
【請求項１２】
ファイル識別子に対応づけて、当該ファイル識別子で識別されるファイルデータを編集または閲覧できる情報処理装置を識別する装置識別子を格納する利用可能装置格納部
をさらに備え、
前記第１ファイルデータオープン制御部は、前記第１情報処理装置を識別する装置識別子が、前記表示側通信部が送信したファイル識別子に対応づけて前記利用可能装置格納部に格納されていることを条件として、ユーザによる編集または閲覧を可能な状態にすべくファイルデータを開く
請求項１に記載の表示システム。
【請求項１３】
前記第１情報処理装置は、
前記第１情報処理装置を識別する装置識別子が、前記表示側通信部が送信したファイル識別子に対応づけて前記利用可能装置格納部に格納されていない場合に、ユーザに通知する処理側通知部
をさらに有する請求項１２に記載の表示システム。
【請求項１４】
ファイルデータを識別するファイル識別子を第１表示装置から第１情報処理装置に送信するファイル識別子送信段階と、
前記ファイル識別子送信段階において前記第１情報処理装置に送信されたファイル識別子で識別されるファイルデータを取得するファイルデータ取得段階と、
前記ファイルデータ取得段階において取得されたファイルデータを前記第１表示装置に送信するファイルデータ送信段階と、
前記ファイルデータ送信段階において送信された、前記ファイル識別子で識別されるファイルデータを前記第１表示装置が受信するファイルデータ受信段階と、
前記ファイルデータ受信段階において受信されたファイルデータを前記第１表示装置が表示する表示段階と、
ユーザによる編集または閲覧を可能な状態にすべく、前記ファイルデータ取得段階において取得されたファイルデータを前記第１情報処理装置上で開くファイルデータオープン制御段階と、
前記ファイルデータオープン制御段階において開かれたファイルデータに対して予め定められた第１の時間アクセスがない場合に、ユーザによる編集または閲覧を不可能な状態にすべく、前記ファイルデータオープン制御段階において開かれたファイルデータを閉じるファイルデータクローズ制御段階と
を備える表示方法。
【請求項１５】
ファイルデータを表示する第１表示装置と、
ユーザによるファイルデータの編集または閲覧を管理する第１情報処理装置と
を備える表示システム用の表示プログラムであって、
ファイルデータを識別するファイル識別子を格納するファイル識別子格納部、
前記ファイル識別子格納部が格納しているファイル識別子を前記第１情報処理装置に送信して、前記ファイル識別子格納部が格納しているファイル識別子で識別されるファイルデータを受信する表示側通信部、
前記表示側通信部が受信したファイルデータを表示する表示側表示部、
前記表示側通信部が送信したファイル識別子で識別されるファイルデータを取得して前記第１表示装置に送信する第１ファイルデータ取得部、
ユーザによる編集または閲覧を可能な状態にすべく、前記第１ファイルデータ取得部が取得したファイルデータを開く第１ファイルデータオープン制御部、
前記第１ファイルデータオープン制御部が開いたファイルデータに対して予め定められた第１の時間アクセスがない場合に、ユーザによる編集または閲覧を不可能な状態にすべく、前記第１ファイルデータオープン制御部が開いたファイルデータを閉じる第１ファイルデータクローズ制御部
として機能させる表示プログラム。
【発明の詳細な説明】
【技術分野】
【０００１】
本発明は、表示システム、表示方法、および表示プログラムに関する。特に、本発明は、ユーザによるファイルデータの編集または閲覧を管理する表示システム、表示方法、および表示プログラムに関する。
【背景技術】
【０００２】
電子ペーパを識別する媒体ＩＤを格納するタグを備える電子ペーパと、電子ペーパにコンテンツを配信する配信管理装置とを備えるコンテンツ配信システムが提案されている（例えば、特許文献１参照。）。具体的には、配信管理装置は、複数の電子ペーパのタグに格納されている媒体ＩＤを読み取って、複数の電子ペーパに配信するコンテンツを電子ペーパごとに決定する。そして、配信管理装置は、決定したコンテンツを各電子ペーパに送信して、各電子ペーパはそれぞれ受信したコンテンツを表示する。また、表示しているドキュメントを識別するドキュメントＩＤを格納した記憶部を備える電子ペーパからドキュメントＩＤを読み取って、所定の出力装置（プリンタ、および情報端末等）にドキュメントＩＤに対応するドキュメントデータを出力させる、ドキュメント処理システムが提案されている（例えば、特許文献２参照。）。
【特許文献１】特開２００６−４１８０１号公報
【特許文献２】特開２００５−３２７１５９号公報
【発明の開示】
【発明が解決しようとする課題】
【０００３】
しかしながら、特許文献１に記載の発明においては、電子ペーパに表示されているコンテンツ等のファイルデータの編集をユーザが所望しても、配信管理装置はコンテンツを電子ペーパに配信するだけなので、ユーザは、ファイルデータの編集をすることができない。また、特許文献２に記載の発明においては、電子ペーパに表示されているファイルデータの識別子を受け取って、当該識別子で識別されるファイルデータをプリンタ等に出力できるものの、ファイルデータの編集については何ら制限が施されていないので、ファイルデータの機密管理を実現できない場合がある。
【０００４】
そこで本発明は、上記課題を解決することができる表示システム、表示方法、および表示プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、ファイルデータを表示する表示装置と、ユーザによるファイルデータの編集または閲覧を管理する情報処理装置とを備える表示システムであって、表示装置は、ファイルデータを識別するファイル識別子を格納するファイル識別子格納部と、ファイル識別子格納部が格納しているファイル識別子を情報処理装置に送信して、ファイル識別子格納部が格納しているファイル識別子で識別されるファイルデータを受信する表示側通信部と、表示側通信部が受信したファイルデータを表示する表示部とを有し、情報処理装置は、表示側通信部が送信したファイル識別子で識別されるファイルデータを取得して表示装置に送信する第１ファイルデータ取得部と、ユーザによる編集または閲覧を可能な状態にすべく、第１ファイルデータ取得部が取得したファイルデータを開く第１ファイルデータオープン制御部と、第１ファイルデータオープン制御部が開いたファイルデータに対して予め定められた第１の時間アクセスがない場合に、ユーザによる編集または閲覧を不可能な状態にすべく、第１ファイルデータオープン制御部が開いたファイルデータを閉じる第１ファイルデータクローズ制御部とを有する。
【０００６】
また、第１ファイルデータオープン制御部が、ユーザによる編集および閲覧を可能な状態にすべく、第１ファイルデータ取得部が取得したファイルデータを開いた場合、第１ファイルデータクローズ制御部は、第１ファイルデータオープン制御部が開いたファイルデータに対して第１の時間より短い予め定められた第２の時間アクセスがない場合に、ユーザによる編集を不可能な状態にすべく、第１ファイルデータオープン制御部が開いたファイルデータを読み取り専用にしてよい。さらに、情報処理装置は、表示側通信部が送信したファイル識別子格納部が格納しているファイル識別子を受信する第１処理側通信部を有し、表示側通信部は、ファイル識別子格納部が格納しているファイル識別子を予め定められた第３の時間間隔で送信し、第１ファイルデータクローズ制御部は、第３の時間より長い予め定められた第４の時間、第１処理側通信部が表示側通信部からファイル識別子を受信しない場合に、第１ファイルデータオープン制御部が開いたファイルデータを閉じてもよい。
【０００７】
また、表示装置は、電力が供給されていない状態でファイルデータを視認可能に表示保持する電子ペーパであってよい。そして、表示装置は、表示部が表示しているファイルデータの更新日時を格納する更新日時格納部をさらに有し、表示側通信部は、更新日時格納部が格納している更新日時を情報処理装置にさらに送信し、情報処理装置は、表示側通信部が送信した更新日時と、第１ファイルデータ取得部が取得したファイルデータの更新日時とから、表示部が表示しているファイルデータの更新の有無を判断する更新有無判断部と、更新有無判断部がファイルデータの更新があると判断した場合に、表示部が表示しているファイルデータが更新されている旨を示す更新情報を表示装置に通知する更新有無通知部とをさらに有し、表示部は、更新有無通知部から通知された更新情報を表示してもよい。
【０００８】
また、ファイル識別子格納部は、患者ごとの電子カルテのファイルデータを識別するファイル識別子を格納し、表示側通信部は、ファイル識別子格納部が格納しているファイル識別子を情報処理装置に送信して、ファイル識別子格納部が格納しているファイル識別子で識別される電子カルテのファイルデータを受信し、表示部は、表示側通信部が受信した電子カルテのファイルデータを表示してもよい。さらに、予め定められた範囲に磁界を発生して表示装置に電力を給電する給電装置を備え、表示装置は、給電装置が発生した磁界から電力を受電する受電部をさらに有し、表示側通信部は、予め定められた範囲内に表示装置が配置されて、受電部が電力を受電した場合に、受電した電力を用いて、ファイル識別子格納部が格納しているファイル識別子を情報処理装置に送信して、ファイル識別子格納部が格納しているファイル識別子で識別されるファイルデータを受信してもよい。
【０００９】
また、第１情報処理装置は、ユーザによって指定されたファイルデータを識別するファイル識別子を受け付ける情報入力部と、情報入力部が受け付けたファイル識別子と同一のファイル識別子が、表示側通信部から送信されていることを検出する電子ペーパ検出部とをさらに有し、ファイルデータオープン制御部は、表示側通信部から同一のファイル識別子が送信されたことを電子ペーパ検出部が検出した場合に、ユーザによる編集または閲覧を可能な状態にすべく、第１ファイルデータ取得部が取得したファイルデータを開いてもよい。
【００１０】
表示側通信部は、所定時間間隔で、ファイル識別子格納部が格納しているファイル識別子を第１情報処理装置に送信し、電子ペーパ検出部は、ファイルデータオープン制御部がファイルデータを開いた後、所定時間間隔で、表示側通信部から同一のファイル識別子が送信されていることを検出し、第１ファイルデータクローズ制御部は、表示側通信部から同一のファイル識別子が送信されていないことを電子ペーパ検出部が検出した場合に、ユーザによる編集または閲覧を不可能な状態にすべく、ファイルデータオープン制御部が開いたファイルデータを閉じてもよい。
【００１１】
表示側通信部から同一のファイル識別子が送信されているか否かに応じたファイルデータの編集権限または閲覧権限を、ファイル識別子に対応づけて格納する権限格納部をさらに備え、第１ファイルデータオープン制御部および第１ファイルデータクローズ制御部は、権限格納部が格納している編集権限または閲覧権限に応じて、ファイルデータを開閉してもよい。
【００１２】
ユーザによるファイルデータの編集または閲覧を管理する第２情報処理装置をさらに備え、第２情報処理装置は、表示側通信部が送信したファイル識別子で識別されるファイルデータを取得して第１表示装置に送信する第２ファイルデータ取得部と、ユーザによる編集または閲覧を可能な状態にすべく、第２ファイルデータ取得部が取得したファイルデータを開く第２ファイルデータオープン制御部と、第２ファイルデータオープン制御部が開いたファイルデータに対して予め定められた第１の時間アクセスがない場合に、ユーザによる編集または閲覧を不可能な状態にすべく、第２ファイルデータオープン制御部が開いたファイルデータを閉じる第２ファイルデータクローズ制御部とを備え、第１ファイルデータクローズ制御部は、第２ファイルデータオープン制御部が第２情報処理装置に対してファイルデータを編集可能な状態にした場合に、第１情報処理装置に対して当該ファイルデータを編集不可能な状態にしてもよい。
【００１３】
ファイル識別子に対応づけて、当該ファイル識別子で識別されるファイルデータを編集または閲覧できる情報処理装置を識別する装置識別子を格納する利用可能装置格納部をさらに備え、第１ファイルデータオープン制御部は、第１情報処理装置を識別する装置識別子が、表示側通信部が送信したファイル識別子に対応づけて利用可能装置格納部に格納されていることを条件として、ユーザによる編集または閲覧を可能な状態にすべくファイルデータを開いてもよい。
【００１４】
第１情報処理装置は、第１情報処理装置を識別する装置識別子が、表示側通信部が送信したファイル識別子に対応づけて利用可能装置格納部に格納されていない場合に、ユーザに通知する処理側通知部をさらに有してもよい。
【００１５】
また、本発明の第２の形態においては、表示方法であって、ファイルデータを識別するファイル識別子を表示装置から情報処理装置に送信するファイル識別子送信段階と、ファイル識別子送信段階において情報処理装置に送信されたファイル識別子で識別されるファイルデータを取得するファイルデータ取得段階と、ファイルデータ取得段階において取得されたファイルデータを表示装置に送信するファイルデータ送信段階と、ファイルデータ送信段階において送信された、ファイル識別子で識別されるファイルデータを表示装置が受信するファイルデータ受信段階と、ファイルデータ受信段階において受信されたファイルデータを表示装置が表示する表示段階と、ユーザによる編集または閲覧を可能な状態にすべく、ファイルデータ取得段階において取得されたファイルデータを情報処理装置上で開くファイルデータオープン制御段階と、ファイルデータオープン制御段階において開かれたファイルデータに対して予め定められた第１の時間アクセスがない場合に、ユーザによる編集または閲覧を不可能な状態にすべく、ファイルデータオープン制御段階において開かれたファイルデータを閉じるファイルデータクローズ制御段階とを備える。
【００１６】
また、本発明の第３の形態においては、ファイルデータを表示する表示装置と、ユーザによるファイルデータの編集または閲覧を管理する情報処理装置とを備える表示システム用の表示プログラムであって、ファイルデータを識別するファイル識別子を格納するファイル識別子格納部、ファイル識別子格納部が格納しているファイル識別子を情報処理装置に送信して、ファイル識別子格納部が格納しているファイル識別子で識別されるファイルデータを受信する表示側通信部、表示側通信部が受信したファイルデータを表示する表示部、表示側通信部が送信したファイル識別子で識別されるファイルデータを取得して表示装置に送信する第１ファイルデータ取得部、ユーザによる編集または閲覧を可能な状態にすべく、第１ファイルデータ取得部が取得したファイルデータを開く第１ファイルデータオープン制御部、第１ファイルデータオープン制御部が開いたファイルデータに対して予め定められた第１の時間アクセスがない場合に、ユーザによる編集または閲覧を不可能な状態にすべく、第１ファイルデータオープン制御部が開いたファイルデータを閉じる第１ファイルデータクローズ制御部として機能させる。
【００１７】
なお、上記の発明の概要は、本発明の必要な特徴の全てを列挙したものではなく、これらの特徴群のサブコンビネーションもまた、発明となりうる。
【発明の効果】
【００１８】
本発明によれば、表示装置に表示されているファイルデータを情報処理装置で開いたときから所定の時間、ユーザからのファイルデータへのアクセスがない場合に、情報処理装置で開いたファイルデータを自動的に閉じることができる。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２０】
図１は、第１の実施形態に係る表示システム１０の概要を示す。表示システム１０は、表示装置２０、表示装置２２、表示装置２４、情報処理装置３０、および給電装置４０を備える。なお、表示装置は少なくとも一つあればよい。また、情報処理装置３０は、ファイルデータを表示するモニタ３０２、並びにファイルデータの内容を変更するときにファイルデータの変更内容を入力するキーボード３７６およびマウス３７８を有する。なお、表示装置２０、表示装置２２、および表示装置２４は、例えば、電子ペーパ、フレキシブルディスプレイ、リライタブルペーパ、ペーパライクディスプレイ、デジタルペーパ、エレクトロニックペーパ、電子シート、および電子表示シートである。
【００２１】
本実施形態に係る表示システム１０は、所定のファイルデータが表示されている表示装置２０が給電装置４０から電力を受電した場合に、表示しているファイルデータを識別する情報を情報処理装置３０に送信する。そして、情報処理装置３０は受信した情報で識別されるファイルデータを開き、所定の時間ユーザからのファイルデータへのアクセスがない場合に、開いたファイルデータを自動的に閉じることを目的とする。
【００２２】
例えば、ファイルデータを表示する複数の表示装置２０等は本棚５２に収納されている。ユーザは、所望の表示装置２０、表示装置２２、および表示装置２４を本棚５２から取り出して、机５０の上に設置された給電装置４０の上に配置する。給電装置４０は、所定の範囲に磁界を発生して表示装置２０、表示装置２２、および表示装置２４のそれぞれに電力を給電する。ここで、表示装置２０、表示装置２２、および表示装置２４は、表示しているファイルデータを識別するファイル識別子を格納している。給電装置４０から電力が給電された表示装置２０、表示装置２２、および表示装置２４は、情報処理装置３０に、ファイル識別子をそれぞれ送信する。
【００２３】
情報処理装置３０は、アンテナ３２２を介して表示装置２０、表示装置２２、および表示装置２４からファイル識別子をそれぞれ受信する。そして、情報処理装置３０は、受信したファイル識別子で識別されるファイルデータをモニタ３０２に表示する。情報処理装置３０は、複数の表示装置から受信したファイル識別子で識別される複数のファイルデータをモニタ３０２に表示する。そして、ユーザは、キーボード３７６およびマウス３７８から、所望のファイルデータに対して所望の情報を入力することによって、モニタ３０２に表示されたファイルデータの内容を変更する。続いて、情報処理装置３０は、ユーザによって内容が変更されたファイルデータを、アンテナ３２２を介して表示装置２０、表示装置２２、または表示装置２４に送信する。表示装置２０、表示装置２２、または表示装置２４は、情報処理装置３０から受け取ったファイルデータの内容が変更された後のファイルデータを表示する。
【００２４】
ここで、表示装置２０から受信したファイル識別子で識別されるファイルデータに対して、ユーザが予め定められた時間アクセスしないときに、情報処理装置３０は、当該ファイルデータを読み取り専用にする。例えば、ユーザがキーボード３７６等から当該ファイルデータに予め定められた時間アクセスしない場合に、情報処理装置３０は、当該ファイルデータを読み取り専用にしてファイルデータの内容の変更を禁止する。続いて、さらに予め定められた時間、ユーザが当該ファイルデータにアクセスしない場合には、情報処理装置３０は当該ファイルデータを閉じる。
【００２５】
これにより、情報処理装置３０が開いたファイルデータをユーザが使用した後に、ユーザがファイルデータを閉じることを忘れて情報処理装置３０から離れた場合でも、情報処理装置３０は自動的にファイルデータを閉じるので、ファイルデータの内容をユーザ以外の者に編集されることを防止できる。
【００２６】
また、表示装置２０は、予め定められた時間間隔で、ファイル識別子を情報処理装置３０に送信する。情報処理装置３０は、表示装置２０から当該予め定められた時間間隔でファイル識別子を受信している間は、表示装置２０が情報処理装置３０に送信したファイル識別子で識別されるファイルデータを開いた状態にする。一方、情報処理装置３０は、当該予め定められた時間間隔よりも長い時間、表示装置２０からファイル識別子を受信しない場合には、開いたファイルデータを閉じる。
【００２７】
これにより、ユーザが表示システム１０から表示装置２０を持ち去った場合に、情報処理装置３０は、開いたファイルデータを自動的に閉じることができるので、情報処理装置３０においてファイルデータを開いた状態のままにしておくことによって、ユーザ以外の者がファイルデータの内容の変更をすることを防止できる。
【００２８】
図２は、表示装置２０および給電装置４０の機能構成を示す。また、図３は、本実施形態に係る情報処理装置３０の機能構成の一例を示す。表示装置２０は、表示側表示部２００、表示側表示制御部２１０、表示側通信部２２０、格納ユニット２３０、および受電部２４０を有する。なお、格納ユニット２３０は、ファイル識別子格納部２３２および更新日時格納部２３４を含む。給電装置４０は、給電部４００および給電制御部４１０を有する。また、情報処理装置３０は、処理側表示部３００、処理側表示制御部３１０、第１処理側通信部３２０、ファイルデータ制御ユニット３３０、ファイルデータ取得部３４０、編集制御部３５０、更新有無判断部３６０、更新有無通知部３６２、編集指示取得部３７０、情報入力部３７４、およびファイルデータ格納部３９０を有する。さらに、ファイルデータ制御ユニット３３０は、ファイルデータオープン制御部３３２およびファイルデータクローズ制御部３３４を含む。
【００２９】
まず、給電装置４０の機能構成について説明する。給電装置４０は、予め定められた範囲に磁界を発生して、表示装置２０に電力を供給する。具体的には、給電装置４０が有する給電部４００が、予め定められた範囲に磁界を発生する。そして、給電部４００は、表示装置２０が有する受電部２４０と直接接続しない状態で電力を給電する。また、給電制御部４１０は、給電部４００の受電部２４０への電力の給電を制御する。例えば、給電制御部４１０は、給電部４００の受電部２４０への電力の給電量を、磁界の状態を変化させることにより制御する。また、給電制御部４１０は、給電部４００が発生する磁界の状態を監視してよい。給電部４００の位置から予め定められた範囲内に受電部２４０が存在すると、給電部４００が発生する磁界の状態が変化する。したがって、給電制御部４１０は、給電部４００が発生する磁界の状態が変化したことを検知したときに、給電部４００の位置から予め定められた範囲内に受電部２４０が存在すると判断できる。
【００３０】
続いて、表示装置２０の機能構成について説明する。表示装置２０は、文書ファイルおよび画像ファイル等のファイルデータを表示する。なお、表示装置２０が表示するファイルデータは、外部の情報処理装置３０で編集されるファイルデータであってよい。さらに、ファイルデータは、患者の電子カルテのファイルデータであってよい。また、表示装置２０は、電力が供給されていない状態でファイルデータを視認可能に表示保持する電子ペーパ、フレキシブルディスプレイ、リライタブルペーパ、ペーパライクディスプレイ、デジタルペーパ、エレクトロニックペーパ、電子シート、および電子表示シートであってよい。まず、受電部２４０は、給電装置４０が有する給電部４００が発生した磁界から電力を受電する。受電部２４０は、受電した電力を表示側表示制御部２１０および表示側通信部２２０に供給する。なお、受電部２４０は、アンテナコイルを含んでいてよい。受電部２４０がアンテナコイルを含んでいる場合には、受電部２４０は、非接触的に電力を受電できる。
【００３１】
格納ユニット２３０は、表示装置２０が表示するファイルデータを識別するファイル識別子、およびファイル識別子で識別されるファイルデータの更新日時を格納する。具体的には、ファイル識別子格納部２３２は、ファイルデータを識別するファイル識別子を格納する。ファイル識別子は、例えば、ファイル名であってよい。さらに、ファイル識別子は、ファイルデータの所在を示すＵＲＬ等の情報を含んでいてもよい。また、ファイル識別子格納部２３２は、患者ごとの電子カルテのファイルデータを識別するファイル識別子を格納してもよい。更新日時格納部２３４は、表示装置２０が表示しているファイルデータの更新日時を格納する。すなわち、更新日時格納部２３４は、ファイル識別子格納部２３２が格納しているファイル識別子で識別されるファイルデータの更新日時を格納する。更新日時は、ファイルデータの更新年月日、時分、および秒を含んでいてよい。格納ユニット２３０は、ファイル識別子および更新日時を表示側通信部２２０の制御に基づいて、表示側通信部２２０に供給する。
【００３２】
表示側通信部２２０は、格納ユニット２３０に働きかけて、ファイル識別子格納部２３２が格納しているファイル識別子、および更新日時格納部２３４が格納している更新日時を抽出する。そして、表示側通信部２２０は、抽出したファイル識別子および更新日時を、情報処理装置３０に送信する。また、表示側通信部２２０は、ファイル識別子格納部２３２が格納しているファイル識別子で識別されるファイルデータを情報処理装置３０から受信する。なお、給電装置４０が磁界を発生している予め定められた範囲内に表示装置２０が配置されて、受電部２４０が電力を受電した場合に、表示側通信部２２０は、受電部２４０が受電した電力を用いて、ファイル識別子および更新日時を情報処理装置３０に送信して、ファイル識別子で識別されるファイルデータを受信してよい。
【００３３】
また、表示側通信部２２０は、ファイル識別子で識別される電子カルテのファイルデータを受信してもよい。さらに、表示側通信部２２０は、ファイル識別子格納部２３２が格納しているファイル識別子を、予め定められた送信時間間隔で情報処理装置３０に送信する。なお、送信時間間隔は、請求項に記載した第３の時間間隔の一例である。表示側通信部２２０は、情報処理装置３０から取得したファイル識別子格納部２３２が格納しているファイル識別子で識別されるファイルデータを表示側表示制御部２１０に供給する。また、表示側通信部２２０は、情報処理装置３０からファイルデータ以外の文字情報等を受信した場合にも、受信した文字情報等と表示側表示制御部２１０に供給してよい。
【００３４】
表示側表示制御部２１０は、表示側通信部２２０から受け取ったファイルデータを表示側表示部２００に表示させる。また、表示側表示制御部２１０は、表示側表示部２００に既に所定のファイルデータが表示されている場合には、表示側表示部２００が表示している所定のファイルデータを、表示側通信部２２０から受け取ったファイルデータの内容に更新してもよい。さらに、表示側表示制御部２１０は、表示側通信部２２０から受け取った文字情報等を表示側表示部２００に表示させてもよい。表示側表示部２００は、ファイル識別子格納部２３２が格納しているファイル識別子で識別されるファイルデータを表示する。具体的には、表示側表示部２００は、表示側表示制御部２１０の制御をうけて、表示側通信部２２０が情報処理装置３０から受け取ったファイルデータを表示する。表示側表示部２００は、電子カルテのファイルデータを表示してもよい。なお、請求項に記載の表示装置が備える表示部は、表示側表示部２００の一例である。
【００３５】
続いて、図３に示す情報処理装置３０の機能構成について説明する。情報処理装置３０は、ユーザによるファイルデータの編集または閲覧を管理する。第１処理側通信部３２０は、ファイル識別子格納部２３２が格納しているファイル識別子、および更新日時格納部２３４が格納している更新日時を表示装置２０から受信する。なお、第１処理側通信部３２０は、アンテナ３２２を含んでいてよい。さらに、第１処理側通信部３２０は、予め定められた送信時間間隔で、表示側通信部２２０からファイル識別子を受信する。第１処理側通信部３２０は、受信したファイル識別子をファイルデータ取得部３４０に供給する。また、第１処理側通信部３２０は、受信した更新日時を更新有無判断部３６０に供給する。
【００３６】
ファイルデータ格納部３９０は、ファイルデータ識別子に対応づけてファイルデータを格納する。ここで、ファイルデータは、文書データ、または画像データの、いずれかを含むファイルデータであってよい。また、ファイルデータ格納部３９０は、患者ごとの電子カルテのファイルデータを、ファイル識別子に対応づけて格納してもよい。さらに、ファイルデータ格納部３９０は、ファイル識別子に対応づけて、ファイルデータの更新日時を格納する。ファイルデータ格納部３９０は、ファイルデータ取得部３４０の制御に基づいて、ファイルデータおよびファイルデータの更新日時をファイルデータ取得部３４０に供給する。
【００３７】
ファイルデータ取得部３４０は、第１処理側通信部３２０から受け取ったファイル識別子で識別されるファイルデータをファイルデータ格納部３９０から抽出する。ファイルデータ取得部３４０は、取得したファイルデータを第１処理側通信部３２０から表示装置２０の表示側通信部２２０に送信させる。また、ファイルデータ取得部３４０は、取得したファイルデータを編集制御部３５０に供給する。さらに、ファイルデータ取得部３４０は、取得したファイルデータの更新日時を、更新有無判断部３６０に供給する。また、ファイルデータ取得部３４０は、予め定められた送信時間間隔で第１処理側通信部３２０からファイル識別子を受け取っている場合には、ファイル識別子を受け取っている旨を示す情報を編集制御部３５０に供給する。
【００３８】
情報入力部３７４は、ユーザからの情報の入力を受け付ける。ユーザが入力する情報は、ファイルデータの内容の変更を指示する情報であってよい。なお、キーボード３７６およびマウス３７８は、情報入力部３７４の一例である。情報入力部３７４は、ユーザのファイルデータの内容に対する編集指示を編集指示取得部３７０に供給する。編集指示取得部３７０は、情報入力部３７４から、ユーザからのファイルデータへの編集指示を取得する。編集指示取得部３７０は、ユーザの編集指示を編集制御部３５０に供給する。また、編集指示取得部３７０は、ユーザから編集指示の入力を、情報入力部３７４を介して取得した場合に、ユーザからのアクセスがあったと判断する。そして、編集指示取得部３７０は、ユーザからのアクセスがあった旨を示す情報をファイルデータ制御ユニット３３０に供給する。
【００３９】
編集制御部３５０は、ファイルデータ制御ユニット３３０の制御に基づいて、ファイルデータを開く。また、編集制御部３５０は、編集指示取得部３７０から受け取ったユーザの編集指示を、開いたファイルデータに反映させる。また、編集制御部３５０は、ファイルデータ制御ユニット３３０の制御に基づいて、ファイルデータを読み取り専用にする。さらに、編集制御部３５０は、ファイルデータ制御ユニット３３０の制御に基づいて、ファイルデータを閉じる。編集制御部３５０は、ファイルデータの内容を編集した後のファイルデータをファイルデータ取得部３４０および処理側表示制御部３１０に供給する。また、編集制御部３５０は、ファイルデータの内容が編集されなかった場合には、編集がされていないファイルデータを処理側表示制御部３１０に供給する。
【００４０】
また、編集制御部３５０は、予め定められた送信時間間隔でファイルデータ取得部３４０からファイル識別子を受け取っている場合には、ファイル識別子を受け取っている旨を示す情報をファイルデータ制御ユニット３３０に供給する。処理側表示制御部３１０は、編集制御部３５０から受け取ったファイルデータを処理側表示部３００に表示させる。処理側表示部３００は、処理側表示制御部３１０の制御に基づいて、ファイルデータを表示する。なお、モニタ３０２は、処理側表示部３００の一例である。
【００４１】
ファイルデータ制御ユニット３３０は、ファイルデータ取得部３４０が取得したファイルデータの編集または閲覧を制御する。具体的には、ファイルデータオープン制御部３３２は、編集制御部３５０に働きかけて、ユーザによる編集または閲覧を可能な状態にすべく、編集制御部３５０がファイルデータ取得部３４０から受け取ったファイルデータを開く。例えば、ファイルデータオープン制御部３３２は、編集制御部３５０に働きかけて、ファイルデータの内容を変更できるアプリケーションソフト（例えば、ワープロソフト、表計算ソフト、または画像編集ソフト）、または、ファイルデータの内容の変更ができないアプリケーションソフト（例えば、閲覧ソフトまたは画像ビューワ）を用いてファイルデータを開いてよい。
【００４２】
そして、ファイルデータクローズ制御部３３４は、ファイルデータオープン制御部３３２が開いたファイルデータに対して予め定められた待ち時間、ユーザからのアクセスがない場合に、ユーザによる編集または閲覧を不可能な状態にすべく、編集制御部３５０に働きかけて、ファイルデータオープン制御部３３２が開いたファイルデータを閉じる。なお、待ち時間は、請求項に記載した第１の時間の一例である。具体的には、ファイルデータクローズ制御部３３４は、編集指示取得部３７０から、ユーザからのアクセスがあった旨を示す情報を予め定められた待ち時間、受け取らない場合に、編集制御部３５０に働きかけてファイルデータオープン制御部３３２が開いたファイルデータを閉じる。
【００４３】
また、ファイルデータクローズ制御部３３４は、ファイルデータオープン制御部３３２が開いたファイルデータに対して予め定められた待ち時間よりも短い予め定められた遷移時間、ユーザからのアクセスがない場合に、ユーザによる編集を不可能な状態にすべく、編集制御部３５０に働きかけてファイルデータオープン制御部３３２が開いたファイルデータを読み取り専用にする。なお、遷移時間は、請求項に記載した第２の時間の一例である。具体的には、ファイルデータクローズ制御部３３４は、編集指示取得部３７０からユーザからのアクセスがあった旨を示す情報を、予め定められた待ち時間よりも短い予め定められた遷移時間、受け取らない場合に、編集制御部３５０に働きかけて、ファイルデータオープン制御部３３２が開いたファイルデータを読み取り専用にする。
【００４４】
例えば、ファイルデータクローズ制御部３３４は、ファイルデータオープン制御部３３２がファイルデータを開いたアプリケーションソフトの編集機能を禁止させることにより、ファイルデータを読み取り専用にする。また、ファイルデータクローズ制御部３３４は、編集制御部３５０に働きかけて、編集指示取得部３７０が編集制御部３５０に供給したユーザの編集指示を破棄することにより、ファイルデータを読み取り専用にしてもよい。
【００４５】
さらに、ファイルデータクローズ制御部３３４は、ファイルデータオープン制御部３３２がファイルデータを開いたときに用いたアプリケーションソフトを、ファイルデータの内容の閲覧だけができるアプリケーションソフトに変更して、ファイルデータを開きなおすことにより、ファイルデータを読み取り専用にしてもよい。また、ファイルデータクローズ制御部３３４は、予め定められた送信時間間隔で編集制御部３５０からファイル識別子を受け取る。そして、ファイルデータクローズ制御部３３４は、予め定められた送信時間間隔よりも長い、予め定められたクローズ時間、ファイル識別子を受け取らない場合に、ファイルデータオープン制御部３３２が開いたファイルを閉じてよい。なお、クローズ時間は、請求項に記載した第４の時間の一例である。
【００４６】
更新有無判断部３６０は、第１処理側通信部３２０から受け取った更新日時と、ファイルデータ取得部３４０から受け取ったファイルデータの更新日時とを比較する。そして、更新有無判断部３６０は、表示装置２０が有する表示側表示部２００が表示しているファイルデータの更新の有無を判断する。具体的には、更新有無判断部３６０は、第１処理側通信部３２０から受け取った更新日時が、ファイルデータ取得部３４０から受け取った更新日時よりも古い場合に、ファイル識別子で識別されるファイルデータであって、ファイルデータ格納部３９０が格納しているファイルデータが更新されていると判断する。更新有無判断部３６０は、ファイルデータが更新されている旨を示す情報、またはファイルデータが更新されていない旨を示す情報を更新有無通知部３６２に供給する。
【００４７】
更新有無通知部３６２は、更新有無判断部３６０から受け取ったファイルデータが更新されている旨を示す情報、またはファイルデータが更新されていない旨を示す情報を第１処理側通信部３２０から表示側通信部２２０に送信させる。表示側通信部２２０は、第１処理側通信部３２０から受け取ったファイルデータが更新されている旨を示す情報、またはファイルデータが更新されていない旨を示す情報を表示側表示制御部２１０に供給する。表示側表示制御部２１０は、表示側通信部２２０から受け取ったファイルデータが更新されている旨を示す情報、またはファイルデータが更新されていない旨を示す情報を表示側表示部２００に表示させる。
【００４８】
例えば、表示側表示制御部２１０は、ファイルデータが更新されている旨を示す情報を表示側表示部２００に表示させる場合には、「ファイルデータが更新されています。」等の文字列を表示側表示部２００に表示させてよい。なお、表示側表示制御部２１０は、ファイルデータが更新されている旨を示す情報を表示側表示部２００に表示させる場合には、表示側表示部２００に、所定のマーク、またはアイコン等を表示させてもよい。また、表示側表示制御部２１０は、ファイルデータが更新されていない旨を示す情報を表示側表示部２００に表示させる場合には、「ファイルデータは更新されていません。」等の文字列を表示側表示部２００に表示させてよい。
【００４９】
なお、表示装置２０は、ファイル識別子格納部２３２が格納しているファイル識別子で識別されるファイルデータの内容の変更の許可、または禁止を選択する編集選択部をさらに有してもよい。係る場合には、表示側通信部２２０は、編集選択部が選択したファイルデータの内容の変更の許可または禁止を示す情報を第１処理側通信部３２０へさらに送信する。具体的には、編集選択部は、機械的にファイルデータの内容の変更の許可、または禁止を選択できるスイッチであってよい。編集選択部は、受電部２４０から電力の供給を受けたときに、ユーザが選択した、ファイルデータの内容の変更の許可、または禁止を示す情報を表示側通信部２２０に供給する。
【００５０】
そして、第１処理側通信部３２０は、表示側通信部２２０が送信した、編集選択部が選択したファイルデータの内容の変更の許可または禁止を示す情報をさらに受信する。第１処理側通信部３２０は、受信したファイルデータの内容の変更の許可または禁止を示す情報を、ファイルデータ制御ユニット３３０に供給する。ファイルデータオープン制御部３３２は、第１処理側通信部３２０がファイルデータの内容の変更の許可を示す情報を受け取った場合に、ファイルデータ取得部３４０が取得したファイルデータを、編集制御部３５０に働きかけて、ユーザによる編集を可能な状態にして開く。一方、ファイルデータクローズ制御部３３４は、第１処理側通信部３２０がファイルデータの内容の変更の禁止を示す情報を受け取った場合には、ファイルデータ取得部３４０が取得したファイルデータを、ユーザによる編集を不可能な状態にする。
【００５１】
本実施形態に係る表示システム１０によれば、表示装置２０から受け取ったファイルデータ識別子で識別されるファイルデータを情報処理装置３０において開いた場合に、情報処理装置３０に対してユーザのアクセスが所定の時間ない場合に、自動的に開いたファイルデータを閉じることができる。これにより、情報処理装置３０において開いたファイルデータを、ユーザが編集した後に、編集した後のファイルデータを閉じることをユーザが忘れても、自動的にファイルデータを閉じることができるので、ファイルデータの内容がユーザ以外の人物に見られることを防止できる。
【００５２】
また、本実施形態に係る表示システム１０によれば、表示装置２０から受け取ったファイルデータ識別子で識別されるファイルデータを情報処理装置３０において開いた場合に、情報処理装置３０に対してユーザのアクセスが所定の時間ない場合に、まずファイルデータを読み取り専用にする。そして、さらにユーザのアクセスが所定の時間ない場合に、読み取り専用にしたファイルデータを閉じることができる。これにより、ユーザが、情報処理装置３０にファイルデータを開いたままにしておいた場合に、ユーザがファイルデータを閉じることを忘れても、自動的にファイルデータを読み取り専用にできるので、ファイルデータの内容がユーザ以外の人物に編集されることを防止できる。
【００５３】
さらに、本実施形態に係る表示システム１０によれば、情報処理装置３０が表示装置２０からファイル識別子を予め定められた時間間隔で受信している間は、ファイルデータを開いた状態にでき、また、情報処理装置３０が表示装置２０からファイル識別子を予め定められた時間間隔で受信しない場合には、開いたファイルデータを閉じることができる。これにより、例えば、ユーザが表示装置２０を情報処理装置３０と通信ができない場所に持ち出した場合には、情報処理装置３０においてユーザがファイルデータを開いたまま忘れていた場合でも自動的にファイルデータを閉じることができるので、ファイルデータのセキュリティを向上できる。
【００５４】
なお、他の実施形態においては、患者を識別する患者識別子を入力する受付機と、患者ごとの電子カルテのファイルデータを表示する表示装置２０と、医師による電子カルテのファイルデータの編集または閲覧を管理する情報処理装置３０とを備える電子カルテの表示システム１０であってよい。具体的には、受付機は患者から患者識別子を入力する。患者識別子は、患者を一意に識別できる、文字、および数値等を含む識別子であってよい。受付機は、患者識別子を、情報処理装置３０が有する第１処理側通信部３２０に送信する。
【００５５】
情報処理装置３０が有するファイルデータ格納部３９０は、患者識別子に対応づけて患者の電子カルテのファイルデータを格納していてよい。そして、ファイルデータ取得部３４０は、第１処理側通信部３２０が受信した患者識別子に対応づけてファイルデータ格納部３９０が格納している電子カルテのファイルデータを取得する。続いて、ファイルデータ取得部３４０は、取得した電子カルテのファイルデータを第１処理側通信部３２０から表示装置２０が有する表示側通信部２２０に送信させる。表示側通信部２２０は、第１処理側通信部３２０から受け取った電子カルテのファイルデータを表示側表示制御部２１０に供給する。表示側表示制御部２１０は、表示側表示部２００に電子カルテのファイルデータを表示する。
【００５６】
また、ファイルデータ取得部３４０は、取得した電子カルテのファイルデータを編集制御部３５０に供給する。編集制御部３５０は、ファイルデータ取得部３４０から受け取った電子カルテのファイルデータを、処理側表示制御部３１０に供給する。処理側表示制御部３１０は、編集制御部３５０から受け取った電子カルテのファイルデータを、処理側表示部３００に表示する。
【００５７】
本実施形態に係る表示システム１０によれば、受付機において表示システム１０が患者識別子を受け取ると、医師の元にある表示装置２０に、患者識別子で識別される患者の電子カルテが表示される。また、医師の元にある情報処理装置３０に、患者識別子で識別される患者の電子カルテが表示される。これにより、膨大な量の患者の紙のカルテの中から特定の患者のカルテを探し出す場合、および、膨大な量の患者の電子カルテのファイルデータを医師自身が情報処理装置３０の中から検索する場合に比べて、電子カルテを探す時間を大幅に短縮することができ、医師は、これまで患者のカルテまたは電子カルテを探すことに用いていた時間を、患者を診察する時間に充てることができる。
【００５８】
また、電子カルテの表示システム１０においては、受付機、第１の医師用の表示装置２０および情報処理装置３０、並びに第２の医師用の表示装置２０および情報処理装置３０を備えていてもよい。具体的には、受付機は患者から患者識別子を入力する。受付機は、患者識別子を、第１の医師用の情報処理装置３０および第２の医師用の情報処理装置３０に送信する。係る場合において、受付機は、第１の医師または第２の医師のいずれが、患者を先に診察するかを示す情報を、第１の医師用の情報処理装置３０および第２の医師用の情報処理装置３０にさらに送信する。
【００５９】
例えば、患者が、まず第１の医師に診察される場合を考える。係る場合においては、受付機から患者識別子、および第１の医師が患者を先に診察する旨を示す情報が第１の医師用の情報処理装置３０、および第２の医師用の情報処理装置３０に送信される。受付機から患者識別子、および第１の医師が患者を先に診察する旨を示す情報を受け取った第１の医師用の情報処理装置３０は、第１の医師用の表示装置２０に患者の電子カルテのファイルデータを表示させる。一方、受付機から患者識別子、および第１の医師が患者を先に診察する旨を示す情報を受け取った第２の医師用の情報処理装置３０は、当該患者の電子カルテのファイルデータの内容を、第２の医師が編集することを禁止する。これにより、第１の医師と第２の医師とが同一の患者の電子カルテのファイルデータの内容を変更することを防止できる。
【００６０】
そして、第１の医師が患者を診察して、情報処理装置３０から患者の電子カルテのファイルデータの内容を更新した場合には、第１の医師用の情報処理装置３０は、第２の医師用の情報処理装置３０に更新後の電子カルテのファイルデータを送信する。続いて、第２の医師用の情報処理装置３０は、第１の医師用の情報処理装置３０から受け取った更新後の電子カルテのファイルデータを用いて、第２の医師用の情報処理装置３０のファイルデータ格納部３９０が格納している電子カルテのファイルデータを更新する。そして、第２の医師用の情報処理装置３０は、第２の医師用の表示装置２０の表示内容を更新する。
【００６１】
さらに、電子カルテの表示システム１０においては、患者用の表示装置２０を備えていてもよい。患者用の表示装置２０には、患者が診断を受けるべき診察課、および当該診察課までの経路等が表示されていてよい。また、患者用の表示装置２０は、診察券の機能を有していてもよい。すなわち、患者用の表示装置２０は、患者を識別する患者識別子、患者の氏名、年齢、性別、住所、既往症、これまでにかかった病院または診断を受けた医師の氏名、当該医師の連絡先等を格納する格納部をさらに有していてよい。そして、患者用の表示装置２０は、例えば、患者の氏名を表示していてよい。
【００６２】
受付機は、患者用の表示装置２０から患者識別子を読み取る。そして、受付機は、患者用の表示装置２０に、患者が診断を受けるべき第１の医師がいる第１の診察課および当該第１の診察課までの経路を示す情報を送信する。患者用の表示装置２０は、受付機から受信した、患者が診断を受けるべき第１の診察課および当該第１の診察課までの経路を示す情報を表示する。続いて、患者が第１の診察課において診察を受けた後に、第１の医師用の情報処理装置３０は、患者の表示装置２０に患者が次に診断を受けるべき第２の診察課および第２の診察課までの経路を示す情報を送信する。そして、患者の表示装置２０は、第２の診察課および第２の診察課までの経路を示す情報を表示する。
【００６３】
図４は、本実施形態に係る表示システム１０における処理の流れの一例を示す。まず、表示装置２０は、受電部２４０が給電装置４０から電力を受電するまで待機する。受電部２４０が電力を受電した場合には、表示側通信部２２０は、受電部２４０が受電した電力を用いて、ファイル識別子格納部２３２に働きかけて、ファイル識別子格納部２３２が格納しているファイル識別子を取得する。そして、表示側通信部２２０は、取得したファイル識別子を情報処理装置３０に送信する。情報処理装置３０の第１処理側通信部３２０は、表示側通信部２２０からファイル識別子を受信する（Ｓ１０００）。第１処理側通信部３２０は、受信したファイル識別子をファイルデータ取得部３４０に供給する。
【００６４】
ファイルデータ取得部３４０は、第１処理側通信部３２０から受け取ったファイル識別子で識別されるファイルデータを、ファイルデータ格納部３９０から取得する（Ｓ１０１０）。そして、ファイルデータ取得部３４０は、取得したファイルデータを編集制御部３５０に供給する。編集制御部３５０は、ファイルデータオープン制御部３３２の制御に基づいて、ファイルデータ取得部３４０から受け取ったファイルデータを開く（Ｓ１０２０）。そして、ファイルデータオープン制御部３３２は、ファイルデータの内容を編集可能な状態にする（Ｓ１０３０）。すなわち、ファイルデータオープン制御部３３２は、編集指示取得部３７０が取得したユーザの編集指示をファイルデータに反映させるべく、ファイルデータを編集可能な状態にする。
【００６５】
続いて、ファイルデータ取得部３４０は、ユーザによって内容が編集されたファイルデータを、第１処理側通信部３２０から表示側通信部２２０に送信させる（Ｓ１０４０）。表示側通信部２２０は、第１処理側通信部３２０から受け取ったファイルデータを表示側表示制御部２１０に供給する。そして、表示側表示制御部２１０は、表示側通信部２２０から受け取ったファイルデータを、表示側表示部２００に表示する。
【００６６】
一方、ファイルデータクローズ制御部３３４は、ファイルデータに所定の時間ユーザからのアクセスがない場合には（Ｓ１０５０：Ｙｅｓ）、編集制御部３５０に働きかけて、ファイルデータオープン制御部３３２が開いたファイルデータを、読み取り専用にする（Ｓ１０６０）。なお、ファイルデータクローズ制御部３３４は、所定の時間にファイルデータへのユーザからのアクセスがある場合には（Ｓ１０５０：Ｎｏ）、ファイルデータオープン制御部３３２が開いたファイルデータを読み取り専用にしない。
【００６７】
さらに、ファイルデータクローズ制御部３３４は、ファイルデータに所定の時間ユーザからのアクセスがない場合には（Ｓ１０７０：Ｙｅｓ）、編集制御部３５０に働きかけて、ファイルデータオープン制御部３３２が開いたファイルデータを閉じる（Ｓ１０８０）。なお、ファイルデータクローズ制御部３３４は、所定の時間の間にファイルデータへのユーザからのアクセスがあった場合には（Ｓ１０７０：Ｎｏ）、ファイルデータオープン制御部３３２が開いたファイルデータを閉じない。係る場合には、ファイルデータオープン制御部３３２は、再びファイルデータの内容を編集可能な状態にしてよい。
【００６８】
図５は、本実施形態に係る表示システム１０における処理の流れの一例を示す。まず、表示装置２０は、受電部２４０が給電装置４０から電力を受電するまで待機する。受電部２４０が電力を受電した場合には、表示側通信部２２０は、受電部２４０が受電した電力を用いて、ファイル識別子格納部２３２に働きかけて、ファイル識別子格納部２３２が格納しているファイル識別子を取得する。そして、表示側通信部２２０は、取得したファイル識別子を情報処理装置３０に送信する。表示側通信部２２０は、予め定められた送信時間間隔で、ファイル識別子を情報処理装置３０に送信する。
【００６９】
情報処理装置３０の第１処理側通信部３２０は、表示側通信部２２０からファイル識別子を受信する（Ｓ１１００）。ここで、第１処理側通信部３２０は、予め定められた送信時間間隔で表示側通信部２２０が送信したファイル識別子を受信する。第１処理側通信部３２０は、受信したファイル識別子をファイルデータ取得部３４０に供給する。ファイルデータ取得部３４０は、第１処理側通信部３２０から受け取ったファイル識別子で識別されるファイルデータを、ファイルデータ格納部３９０から取得する（Ｓ１１１０）。そして、ファイルデータ取得部３４０は、取得したファイルデータを編集制御部３５０に供給する。
【００７０】
なお、ファイルデータ取得部３４０は、一度、ファイル識別子で識別されるファイルデータをファイルデータ格納部３９０から取得した後は、第１処理側通信部３２０から同一のファイル識別子を受け取った場合でも、同一のファイルデータを再びファイルデータ格納部３９０から取得しなくてよい。編集制御部３５０は、ファイルデータオープン制御部３３２の制御に基づいて、ファイルデータ取得部３４０から受け取ったファイルデータを開く（Ｓ１１２０）。
【００７１】
そして、ファイルデータオープン制御部３３２は、ファイルデータの内容を編集可能な状態にする（Ｓ１１３０）。すなわち、ファイルデータオープン制御部３３２は、編集指示取得部３７０が取得したユーザの編集指示をファイルデータに反映させるべく、ファイルデータを編集可能な状態にする。続いて、ファイルデータ取得部３４０は、ユーザによって内容が編集されたファイルデータを、第１処理側通信部３２０から表示側通信部２２０に送信させる（Ｓ１１４０）。表示側通信部２２０は、第１処理側通信部３２０から受け取ったファイルデータを表示側表示制御部２１０に供給する。そして、表示側表示制御部２１０は、表示側通信部２２０から受け取ったファイルデータを、表示側表示部２００に表示する。
【００７２】
一方、ファイルデータクローズ制御部３３４は、予め定められた送信時間間隔で表示側通信部２２０が送信しているファイル識別子を、予め定められた送信時間間隔よりも長い時間、第１処理側通信部３２０が表示側通信部２２０から受信しない場合に（Ｓ１１５０：Ｙｅｓ）、編集制御部３５０に働きかけてファイルデータを閉じる（Ｓ１１６０）。また、ファイルデータクローズ制御部３３４は、予め定められた送信時間間隔で表示側通信部２２０が送信しているファイル識別子を、第１処理側通信部３２０が表示側通信部２２０から受信し続けている場合には（Ｓ１１５０：Ｎｏ）、ファイルデータを閉じない。
【００７３】
図６は、本実施形態に係る表示システム１０における処理の流れの一例を示す。まず、表示装置２０は、受電部２４０が給電装置４０から電力を受電するまで待機する（Ｓ１２００）。受電部２４０が電力を受電した場合には、表示側通信部２２０は、受電部２４０が受電した電力を用いて、ファイル識別子格納部２３２および更新日時格納部２３４に働きかけて、ファイル識別子格納部２３２が格納しているファイル識別子および更新日時格納部２３４が格納している更新日時を取得する。そして、表示側通信部２２０は、取得したファイル識別子および更新日時を情報処理装置３０に送信する（Ｓ１２１０）。
【００７４】
情報処理装置３０の第１処理側通信部３２０は、表示側通信部２２０からファイル識別子を受信する。第１処理側通信部３２０は、受信したファイル識別子をファイルデータ取得部３４０に供給する。また、第１処理側通信部３２０は、受信した更新日時を更新有無判断部３６０に供給する。ファイルデータ取得部３４０は、第１処理側通信部３２０から受け取ったファイル識別子で識別されるファイルデータを、ファイルデータ格納部３９０から取得する（Ｓ１２２０）。また、ファイルデータ取得部３４０は、ファイル識別子で識別されるファイルデータの更新日時を取得する。ファイルデータ取得部３４０は、取得したファイルデータを編集制御部３５０に供給する。また、ファイルデータ取得部３４０は、取得した更新日時を更新有無判断部３６０に供給する。
【００７５】
更新有無判断部３６０は、第１処理側通信部３２０から受け取った更新日時と、ファイルデータ取得部３４０から受け取った更新日時とを比較して、ファイルデータ格納部３９０が格納しているファイルデータが更新されているか否かを判断する（Ｓ１２３０）。更新有無判断部３６０は、ファイルデータが更新されていると判断した場合には（Ｓ１２３０：Ｙｅｓ）、ファイルデータが更新されている旨を示す更新情報を、更新有無通知部３６２に供給する。そして、更新有無通知部３６２は、更新情報を第１処理側通信部３２０から表示側通信部２２０に送信させる（Ｓ１２４０）。表示側通信部２２０は、第１処理側通信部３２０から受信した更新情報を表示側表示制御部２１０に供給する。そして、表示側表示制御部２１０は、表示側表示部２００に更新情報を表示する（Ｓ１２５０）。
【００７６】
一方、情報処理装置３０が有する情報入力部３７４は、ユーザによるファイルデータの更新指示を受け付ける（Ｓ１２６０）。情報入力部３７４は、ユーザによるファイルデータの更新指示を入力した場合には、更新指示を編集指示取得部３７０に供給する。編集指示取得部３７０は、受け取った更新指示をファイルデータ取得部３４０に供給する。ファイルデータ取得部３４０は、更新指示を受け取った場合には（Ｓ１２６０：Ｙｅｓ）、更新後のファイルデータをファイルデータ格納部３９０から取得して、第１処理側通信部３２０に供給する。第１処理側通信部３２０は、ファイルデータ取得部３４０から受け取った更新後のファイルデータを表示側通信部２２０に送信する（Ｓ１２７０）。表示側通信部２２０は、第１処理側通信部３２０から受け取った更新後のファイルデータを表示側表示制御部２１０に供給する。表示側表示制御部２１０は、表示側表示部２００に表示されているファイルデータを、更新後のファイルデータに置き換えて表示を更新する（Ｓ１２８０）。
【００７７】
本実施形態に係る表示システム１０によれば、表示装置２０が表示しているファイルデータが更新されている場合には、表示装置２０にファイルデータが更新されている旨を表示できる。これにより、表示装置２０に表示されているファイルデータを更新させることなく、ファイルデータが更新されていることをユーザは把握することができるので、例えば、表示装置２０に表示されているファイルデータをユーザがまだ読んでいない場合には、ユーザは更新前のファイルデータを読んだ後にファイルデータを更新させることができる。
【００７８】
図７は、第２の実施形態に係る表示システム１０００の概要を示す。表示システム１０００は、複数の表示システム２００２、サーバ２００６、および受付システム２００４を備える。サーバ２００６は、複数の表示システム２００２および受付システム２００４にそれぞれＬＡＮ等の電子通信回線を介して接続されている。なお、以下では、表示システム２００２の機能のうち、表示システム１０の機能と異なる部分を主に説明する。以下に説明する以外の機能について、表示システム２００２は、図１から図６で説明した表示システム１０が有する機能と同一の機能を有してもよい。
【００７９】
情報処理装置２００３は、表示装置２０が給電装置４０に載せられた場合に、アンテナ３２２を利用して表示装置２０から患者を識別するファイル識別子を受信する。情報処理装置２００３は、受信したファイル識別子に基づいて、サーバ２００６にファイルデータの読み出しを要求する。また、情報処理装置２００３は、キーボード３７６から入力されたファイル識別子に基づいて、サーバ２００６にファイルデータの読み出しを要求する。
【００８０】
サーバ２００６は、複数のファイル識別子のそれぞれに対応づけられた複数のファイルデータをそれぞれ格納する。また、サーバ２００６は、情報処理装置２００３からのファイルデータの読み取り要求に対して、ファイルデータの閲覧を許可するか否かが定められた閲覧権限と、ファイルデータの編集を許可するか否かが定められた編集権限とを格納する。また、サーバ２００６は、情報処理装置２００３がファイルデータを閲覧させてよい装置か否かが定められた装置識別子を格納する。さらには、サーバ２００６は、ファイルデータを開いている情報処理装置２００３を特定する利用装置特定情報を格納する。そして、サーバ２００６は、格納している情報に基づいて、ファイルデータの閲覧または編集を制御する。
【００８１】
受付システム２００４は、患者が所有する診察券等から、患者の電子カルテのファイル識別子を取得する受付機を有する。また、受付機は、患者が診断を受ける診療科目を受け付け、診療科目に対応する医師の情報処理装置２００３を特定する。受付機は、特定した情報処理装置２００３を患者のファイルデータが利用可能な利用可能装置とする。また、受付機は、利用可能装置を識別する装置識別子をファイル識別子に付加して、サーバ２００６に送信する。
【００８２】
これにより、電子カルテを表示する電子ペーパのような表示装置２０を鍵として、情報処理装置２００３による電子カルテの表示または編集を、所定の条件に従って制限できるので、権限が無い第三者による閲覧および編集を防止できる。例えば、病院内システムにおいて、電子カルテを表示することが許可されている情報処理装置２００３が予め登録されることによって、患者が誤って異なる診察室に入った場合であっても、その診察室に配置された情報処理装置２００３からは、その患者の電子カルテを閲覧することができない。そのため、医師が患者を取り違えて診察することを防げ、医療ミスを未然に防止できる。
【００８３】
図８は、サーバ２００６の機能構成の一例を示す。サーバ２００６は、サーバ側通信部２１１０、ファイル格納部２１２０、利用可能装置格納部２１３０、権限格納部２１４０、利用装置格納部２１５０、および利用制御部２２００を有する。
【００８４】
ファイル格納部２１２０は、複数のファイル識別子それぞれに対応する、複数のファイルデータをそれぞれ格納する。利用可能装置格納部２１３０は、ファイル識別子に対応づけて、当該ファイル識別子で識別されるファイルデータを編集または閲覧できる情報処理装置を識別する装置識別子を格納する。
【００８５】
権限格納部２１４０は、表示側通信部２２０から同一のファイル識別子が情報処理装置２００３へ送信されているか否かに応じたファイルデータの編集権限または閲覧権限を、ファイル識別子に対応づけて格納する。利用装置格納部２１５０は、ファイルデータを開いている情報処理装置２００３を特定する利用装置情報を格納する。
【００８６】
利用制御部２２００は、情報処理装置２００３からファイルデータの読み取りを要求された場合に、情報処理装置２００３にファイルデータを取得させて良いか否かを判断する。また、情報処理装置２００３にファイルデータを取得させる場合に、利用制御部２２００は、装置識別子、閲覧権限、編集権限、および利用装置情報の少なくとも１つに基づいて、情報処理装置２００３のファイルデータの利用を制御する。
【００８７】
例えば、利用制御部２２００は、情報処理装置２００３から読み取りを要求されたファイル識別子に対して、読み取りを要求した情報処理装置２００３の装置識別子が利用可能装置格納部２１３０に含まれていないことに基づいて、情報処理装置２００３にファイルデータを取得させないことを判断する。また、利用制御部２２００は、編集権限において編集が認められていないことに基づいて、情報処理装置２００３にファイルデータを読み取り専用で開かせる。なお、利用制御部２２００は、情報処理装置２００３にファイルデータを取得させない場合に、ファイルデータを取得させることができない理由を、情報処理装置２００３に供給してもよい。
【００８８】
サーバ側通信部２１１０は、ファイル識別子、ファイルデータ、装置識別子、閲覧権限または編集権限を情報処理装置２００３を送信する。また、サーバ側通信部２１１０は、表示システム２００２によって編集または作成されたファイルデータ、および受付システム２００４から入力された装置識別情報を受信する。
【００８９】
図９は、権限格納部２１４０に格納されたデータテーブルの一例を示す。図９は、閲覧権限および編集権限を１つのテーブル上で編集閲覧権限として示しているが、権限格納部２１４０は、閲覧権限および編集権限をそれぞれ２つのテーブルとして格納してもよい。
【００９０】
権限格納部２１４０は、閲覧権限および編集権限を、ファイル識別子に関連付けて格納している。また、権限格納部２１４０は、表示装置２０の有無に対応させて、閲覧権限および編集権限を格納している。例えば、情報処理装置２００３が表示装置２０からファイル識別子を受信している場合、ファイル識別子３００１には、閲覧、保存、印刷、および書き換えを許可する権限が定められている。また、情報処理装置２００３が表示装置２０からファイル識別子を受信していない場合には、閲覧以外を許可しない権限が定められている。
【００９１】
なお、閲覧権限または編集権限は、ファイル識別子及び表示装置の有無以外の条件によって定められてもよい。例えば、情報処理装置２００３を識別する装置識別子ごとに異なる閲覧権限または編集権限が設定されていてもよい。
【００９２】
本実施形態によれば、ファイル識別子ごと、さらには表示装置の有無に応じて、閲覧権限または編集権限が定められているので、ファイルデータごとの重要性に応じて、閲覧レベルまたは編集レベルを定められる。したがって、ファイルデータごとの重要性に応じた閲覧管理又は改竄防止を実現できる。
【００９３】
図１０は、利用可能装置格納部２１３０に格納されたデータテーブルの一例を示す。利用可能装置格納部２１３０は、ファイル識別子に対応させて、ファイルデータの閲覧が許可された利用可能装置の装置識別子を格納する。例えば、利用可能装置格納部２１３０は、受付システム２００４において受け付けがなされた患者の電子カルテのファイルデータの識別子に対応させて、患者を診察する医師の情報処理装置２００３の装置識別子を格納する。利用可能装置の装置識別子は、例えば、ＩＰアドレス、又はＭＡＣアドレスであってもよい。
【００９４】
本実施形態によれば、ファイル識別子に対応して利用可能装置が設定されているので、ファイルデータを利用できる情報処理装置２００３を限定できる。即ち、給電装置４０上に表示装置２０が置かれた場合、閲覧権限または編集権限の設定に影響されずに情報処理装置２００３を限定できる。これにより、ファイルデータの秘匿性に応じた柔軟な閲覧または編集設定ができる。
【００９５】
なお、利用可能装置格納部２１３０は、格納しているファイル識別子で識別されるファイルデータが、ファイル識別子に対応付けられた利用可能装置によって読み出された場合に、ファイルデータを読み出した利用可能装置の装置識別子をデータテーブルから削除してもよい。これにより、ファイル識別子に対応付けられた利用可能装置に、所定回数のみファイルデータの利用を許可することができる。
【００９６】
図１１は、情報処理装置２００３の機能構成の一例を示す。情報処理装置２００３は、図１から図６の説明における情報処理装置３０と同一の機能を有してもよい。以下の説明においては、情報処理装置２００３と情報処理装置３０とが有する同一の機能についての詳細な説明は省略する。
【００９７】
情報処理装置２００３は、処理側表示部３００、処理側表示制御部３１０、第１処理側通信部３２０、ファイルデータ制御ユニット３３０、ファイルデータ取得部３４０、編集制御部３５０、編集指示取得部３７０、情報入力部３７４、電子ペーパ検出部２０１０、処理側通知部２０２０、および第２処理側通信部２０３０を有する。さらに、ファイルデータ制御ユニット３３０は、ファイルデータオープン制御部３３２およびファイルデータクローズ制御部３３４を含む。
【００９８】
情報入力部３７４は、ユーザによって指定されたファイルデータを識別するファイル識別子を受け付ける。情報入力部３７４は、ファイルデータ取得部３４０および電子ペーパ検出部２０１０に、受け付けたファイル識別子を供給する。
【００９９】
表示側通信部２２０は、所定時間間隔で、ファイル識別子格納部２３２が格納しているファイル識別子を情報処理装置２００３に送信している。電子ペーパ検出部２０１０は、表示装置２０の表示側通信部２２０から第１処理側通信部へ、ファイル識別子が送信されていることを検出する。電子ペーパ検出部２０１０は、ファイル識別子が送信されていることを検出した場合に、その旨を示す識別子検出情報およびファイル識別子をファイルデータ制御ユニット３３０へ供給する。
【０１００】
また、電子ペーパ検出部２０１０は、情報入力部３７４が受け付けたファイル識別子と同一のファイル識別子が、表示側通信部２２０から送信されていることを検出する。電子ペーパ検出部２０１０は、ファイル識別子が同一であることを検出した場合に、その旨を示す識別子同一情報をファイルデータ制御ユニット３３０へ供給する。また、電子ペーパ検出部２０１０は、ファイルデータオープン制御部３３２がファイルデータを開いた後、所定時間間隔で、表示側通信部２２０から同一のファイル識別子が送信されていることを検出する。
【０１０１】
ファイルデータオープン制御部３３２は、表示側通信部２２０から同一のファイル識別子が送信されたことを電子ペーパ検出部２０１０が検出した場合に、ユーザによる編集または閲覧を可能な状態にすべく、ファイルデータ取得部３４０が取得したファイルデータを開く。また、ファイルデータクローズ制御部３３４は、表示側通信部２２０から同一のファイル識別子が送信されていないことを電子ペーパ検出部２０１０が検出した場合に、ユーザによる編集または閲覧を不可能な状態にすべく、ファイルデータオープン制御部３３２が開いたファイルデータを閉じる。さらには、ファイルデータオープン制御部３３２およびファイルデータクローズ制御部３３４は、権限格納部２１４０が格納している編集権限または閲覧権限に応じて、ファイルデータを開閉する。
【０１０２】
ファイルデータオープン制御部３３２は、情報処理装置２００３を識別する装置識別子が、表示側通信部２２０が送信したファイル識別子に対応づけて利用可能装置格納部２１３０に格納されていることを条件として、ユーザによる編集または閲覧を可能な状態にすべくファイルデータを開く。具体的には、ファイルデータオープン制御部３３２は、利用制御部２２００から利用可能装置格納部に格納された装置識別子と、情報処理装置２００３の装置識別子とが合致することを条件として、ファイルデータを編集または閲覧可能な状態にすることを許可する。ファイルデータオープン制御部３３２は、利用制御部２２００から許可されたことに基づいて、表示側通信部２２０から送信されたファイル識別子で識別されるファイルデータをファイル格納部２１２０から取得し、編集または閲覧可能な状態で開く。
【０１０３】
処理側通知部２０２０は、情報処理装置２００３を識別する装置識別子が、表示側通信部２２０が送信したファイル識別子に対応づけて利用可能装置格納部２１３０に格納されていない場合に、ユーザに通知する。具体的には、ファイルデータオープン制御部３３２が、装置識別子が合致しないことを理由としてファイルデータを開けない場合に、ファイルデータオープン制御部３３２は、利用制御部２２００から装置識別子が合致しないことを受け取る。ファイルデータオープン制御部３３２は、装置識別子が合致しないことを処理側通知部２０２０に供給する。処理側通知部２０２０は、処理側表示部３００を利用して装置識別子が合致しないことをユーザに通知する。
【０１０４】
なお、ファイルデータオープン制御部３３２は、閲覧権限または編集権限が認められていない場合も、処理側通知部２０２０にその旨を通知してもよい。即ち、ファイルデータオープン制御部３３２は、利用制御部２２００から、閲覧権限または編集権限が認められていないことを利用制御部２２００から受け取る。処理側通知部２０２０は、閲覧権限が認められていない、または編集権限が認められていないことを処理側表示部３００に表示させてユーザに通知する。
【０１０５】
次に、２つの情報処理装置２００３が、表示装置２０の有無に応じて、それぞれの表示を切り替える動作について説明する。以下の説明において、２つの情報処理装置２００３を第１情報処理装置２００３及び第２情報処理装置２００３とし、第１情報処理装置２００３が有する各構成要素の前に第１を付加し、第２情報処理装置２００３が有する各構成要素の前に第２を付加して説明する。
【０１０６】
第１情報処理装置２００３は、表示側通信部２２０から送信されたファイル識別子に基づいて、第１処理側表示部３００にファイルデータを表示している。係る場合において、第２情報処理装置２００３から、第１情報処理装置で利用されているファイルデータを編集することが要求された場合に、サーバ２００６の利用制御部２２００は、利用装置格納部２１５０に格納された利用装置情報を参照して、第１情報処理装置２００３を特定する。そして、利用制御部２２００は、第１情報処理装置２００３に対して、ファイルデータを閉じさせるように制御する。また、利用制御部２２００は、利用装置格納部２１５０に第２情報処理装置２００３を特定する情報を利用装置情報として格納する。
【０１０７】
第１ファイルデータクローズ制御部３３４は、第２ファイルデータオープン制御部３３２が第２情報処理装置２００３に対してファイルデータを編集可能な状態にした場合に、利用制御部２２００からの制御に基づいて、第１情報処理装置２００３に対して当該ファイルデータを編集不可能な状態にする。
【０１０８】
本実施形態によれば、情報処理装置２００３は、入力されたファイル識別子と、表示装置２０から送信されたファイル識別子が同一であることを条件としてファイルデータの開閉を制御できるので、表示装置２０を持っていない第三者がファイルデータを閲覧することを防止できる。また、ファイル識別子に関連付けられた閲覧権限または編集権限に基づいてファイルデータの閲覧または編集が制御されるので、ファイルデータの重要度に応じた閲覧および編集を提供できる。
【０１０９】
図１２は、第３の実施形態に係る閲覧管理システム５０００の概要を示す。閲覧管理システム５０００は、表示装置２０、および閲覧防止カバー５０３０を備える。また、閲覧防止カバー５０３０は配線５０４０を有する。本実施形態に係る閲覧管理システム５０００は、予め定められた手順以外の手順で閲覧防止カバー５０３０が取り外されたときに、表示装置２０が表示している表示データを自動的に消去することを目的とする。なお、予め定められた手順とは、例えば、ユーザが閲覧防止カバー５０３０にパスワードを入力した後に、閲覧防止カバー５０３０を表示装置２０から取り外すという手順、または、閲覧防止カバー５０３０を表示装置２０から取り外すことが許可されている場所において、閲覧防止カバー５０３０を表示装置２０から取り外すという手順、若しくはユーザが閲覧防止カバー５０３０にパスワードを入力した後に、閲覧防止カバー５０３０を切断して表示装置２０を取り出すという手順等であってよい。
【０１１０】
閲覧防止カバー５０３０は、表示装置２０を内包して表示装置２０が有する表示側表示部５２１０に表示されている表示データの閲覧を防止する袋形状、例えば、封筒状の形状であってよい。ユーザが所定の表示データを表示している表示装置２０を閲覧防止カバー５０３０に入れて、閲覧防止カバー５０３０の入り口を閉じると、閲覧防止カバー５０３０に配置されている配線５０４０がクローズとなる。配線５０４０は、閲覧防止カバー５０３０が袋形状である場合には、袋の入り口が閉じられたときにクローズとなる位置に配置されていてよい。例えば、閲覧防止カバー５０３０のふたが閉じられた場合に、袋のふた部分に配置された配線５０４０の一部分と袋の本体部分に配置された配線５０４０の一部分とが接触して、配線５０４０を含む回路がクローズとなるべく、配線５０４０は配置されていてよい。
【０１１１】
閲覧防止カバー５０３０が有する閲覧防止カバー側処理ユニット５３００は、配線５０４０を含む回路の抵抗値を監視する。そして、閲覧防止カバー側処理ユニット５３００は、配線５０４０の抵抗値が閲覧防止カバー５０３０のふたを閉じたときにおける配線５０４０を含む回路の抵抗値よりも大きくなった場合に、閲覧防止カバー５０３０が開封されたと判断する。そして、この場合に、閲覧防止カバー側処理ユニット５３００は、表示装置２０が閲覧防止カバー５０３０から取り出されたと判断してよい。例えば、ユーザが表示装置２０を閲覧防止カバー５０３０に挿入して閲覧防止カバー５０３０のふたを閉じると、配線５０４０はクローズとなる。続いてユーザが閲覧防止カバー５０３０のふたを開けると、配線５０４０はオープンとなる。
【０１１２】
配線５０４０がオープンとなった場合には、配線５０４０の抵抗値は配線５０４０がクローズの場合に比べて大きい値を示す。したがって、閲覧防止カバー側処理ユニット５３００は、配線５０４０の抵抗値を監視することにより、閲覧防止カバー５０３０の開封を検知して、表示装置２０が閲覧防止カバー５０３０から取り出されたと判断できる。また、表示装置２０は、光センサ５２２０を有していてよい。光センサ５２２０が予め定められた光量以上の光量を検出した場合に、閲覧防止カバー側処理ユニット５３００は、閲覧防止カバー５０３０から表示装置２０が取り出されたと判断してもよい。
【０１１３】
また、閲覧防止カバー５０３０は、表示装置２０に表示されている表示データの閲覧が許可されているユーザを識別する識別データをユーザに入力させる。識別データは、例えば、パスワードであってよい。閲覧防止カバー側処理ユニット５３００は、識別データ入力部５３２２を介して、パスワードをユーザに入力させる。識別データ入力部５３２２は、例えば、テンキーを配した薄型の入力装置であり、閲覧防止カバー５０３０の表面に配置されていてよい。閲覧防止カバー側処理ユニット５３００は、ユーザが識別データ入力部５３２２に入力したパスワードを、閲覧防止カバー側処理ユニット５３００が予め格納しているパスワードと照合する。そして、閲覧防止カバー側処理ユニット５３００は、パスワードが一致した場合に、パスワードが一致した旨を示す認証情報を、表示装置２０が表示している表示データの閲覧を許可する情報である閲覧許可情報として取得する。
【０１１４】
そして、閲覧防止カバー側処理ユニット５３００は、閲覧許可情報を取得する前に、表示装置２０が閲覧防止カバー５０３０から取り出されたと判断した場合に、表示装置２０が表示している表示データを消去させる。例えば、ユーザによって識別データ入力部５３２２に入力されたパスワードが、閲覧防止カバー側処理ユニット５３００に予め格納されているパスワードと一致した場合には、閲覧防止カバー側処理ユニット５３００はパスワードが一致した旨を示す認証情報を閲覧許可情報として取得する。閲覧防止カバー側処理ユニット５３００が閲覧許可情報を取得した後に、表示装置２０が閲覧防止カバー５０３０から取り出された場合には、閲覧防止カバー側処理ユニット５３００は、表示装置２０が表示している表示データを消去させない。
【０１１５】
一方、ユーザによって識別データ入力部５３２２に入力されたパスワードが、閲覧防止カバー側処理ユニット５３００に予め格納されているパスワードと一致しなかった場合には、閲覧防止カバー側処理ユニット５３００は、閲覧許可情報を取得しない。この場合において、表示装置２０が閲覧防止カバー５０３０から取り出されたときに、閲覧防止カバー側処理ユニット５３００は、表示装置２０が表示している表示データを消去させる。また、ユーザがパスワードを入力せずに表示装置２０を閲覧防止カバー５０３０から取り出した場合においても、閲覧防止カバー側処理ユニット５３００は、閲覧許可情報を取得しないので、閲覧防止カバー側処理ユニット５３００は、表示装置２０が表示している表示データを消去させる。
【０１１６】
本実施形態に係る閲覧管理システム５０００によれば、表示装置２０の表示領域が閲覧防止カバー５０３０で覆われた状態において、閲覧防止カバー側処理ユニット５３００が閲覧許可情報を取得する前に表示装置２０から閲覧防止カバー５０３０が取り外された場合に、表示装置２０が表示している表示データを自動的に消去させることができる。これにより、表示装置２０が表示している表示データを、当該表示データの閲覧が許可されており、予め定められた手順を知っているユーザだけに閲覧させることができるので、表示データの機密性を向上させることができる。
【０１１７】
図１３は、本実施形態に係る閲覧管理システム５０００の機能構成の一例を示す。閲覧管理システム５０００は、表示装置２０および閲覧防止カバー５０３０を備える。表示装置２０は、表示部側処理ユニット５２００、表示側表示部５２１０、および光センサ５２２０を有する。そして、表示部側処理ユニット５２００は、表示データ消去部５２０２、信号発信部５２０４、および第１電力発生部５２０６を含む。また、閲覧防止カバー５０３０は、閲覧防止カバー側処理ユニット５３００、識別データ入力部５３２２、および配線５０４０を有する。そして、閲覧防止カバー側処理ユニット５３００は、取り外し検知部５３０２、消去制御部５３０４、第２電力発生部５３０６、閲覧許可情報取得部５３０８、信号受信部５３１０、距離判断部５３１２、距離算出部５３１４、認証部５３２０、および識別データ格納部５３２４を含む。
【０１１８】
まず、表示装置２０の機能構成の一例について説明する。表示側表示部５２１０は、電力が供給されていない状態で表示データを視認可能に表示する。なお、表示側表示部５２１０は、電子ペーパ、フレキシブルディスプレイ、リライタブルペーパ、ペーパライクディスプレイ、デジタルペーパ、エレクトロニックペーパ、電子シート、および電子表示シートのいずれかであってよい。光センサ５２２０は、表示側表示部５２１０の近傍に配置されて照射される光量を検出する。光センサ５２２０は、表示側表示部５２１０の４隅の近傍に配置されていてよい。また、複数の光センサ５２２０が表示側表示部５２１０の近傍に配置されていてもよい。
【０１１９】
さらに、光センサ５２２０は、閲覧防止カバー５０３０の内側に、予め定められた間隔で配置されていてもよい。具体的には、閲覧防止カバー５０３０が袋形状の場合は、袋の内側に光センサ５２２０は配置されていてよい。より具体的には、袋形状の閲覧防止カバー５０３０が開けられた場合に、光が照射される位置に光センサ５２２０は配置されていてよい。例えば、袋の開口部の近傍に、光センサ５２２０は配置されていてよい。また、閲覧防止カバー５０３０がシート形状の場合には、閲覧防止カバー５０３０の周囲に沿って、複数の光センサ５２２０が配置されていてもよい。具体的には、表示側表示部５２１０と接する面に光センサ５２２０が配置されていてもよい。例えば、表示側表示部５２１０を覆っている閲覧防止カバー５０３０がはがされた場合に、光が照射される位置に光センサ５２２０は配置されていてよい。光センサ５２２０は、検出した光量を取り外し検知部５３０２に供給する。なお、光センサ５２２０は、検出した光量を無線通信、または有線通信により取り外し検知部５３０２に供給してよい。
【０１２０】
信号発信部５２０４は、表示側表示部５２１０の近傍に配置されている。そして、信号発信部５２０４は、予め定められた識別信号を発信する。信号発信部５２０４は、識別信号を予め定められた発信強度で発信してよい。また、信号発信部５２０４は、光センサ５２２０が予め定められた光量以上の光量を検出したときに、識別信号を発信してもよい。この場合においては、信号発信部５２０４は、光センサ５２２０が予め定められた光量以上の光量を検出したことを検知して識別信号を発信する。なお、信号発信部５２０４は、表示側表示部５２１０の複数の辺、または複数の隅の近傍に配置されていてよい。また、複数の信号発信部５２０４が、表示側表示部５２１０に配置されていてもよい。
【０１２１】
表示データ消去部５２０２は、消去制御部５３０４に制御されて、表示側表示部５２１０が表示している表示データを消去する。例えば、表示側表示部５２１０の行ごとおよび列ごとの書き込みラインを同時に接続させて、全ての書き込みラインに同一の信号を供給することにより表示データを消去する。第１電力発生部５２０６は、照射された光エネルギーを電力に変換する。そして、第１電力発生部５２０６は、電力を表示データ消去部５２０２に供給する。第１電力発生部５２０６は、例えば、太陽電池であってよい。また、第１電力発生部５２０６は、光が照射されていない場合に表示データ消去部５２０２に電力を供給すべく、薄型バッテリを含んでいてもよい。薄型バッテリの厚さは、表示装置２０の厚さよりも薄い厚さであってよい。なお、第１電力発生部５２０６は、請求項に記載の電力発生部の一例である。
【０１２２】
次に、閲覧防止カバー５０３０の機能構成について説明する。閲覧防止カバー５０３０は、表示側表示部５２１０が表示している表示データの閲覧を防止すべく、表示側表示部５２１０を覆うカバーであってよい。具体的には、閲覧防止カバー５０３０は、表示側表示部５２１０を内包する封筒の形状、表示側表示部５２１０の表示領域を覆うバインダの形状、および表示側表示部５２１０の表示領域を覆うシート形状等のいずれかの形状を有していてよい。例えば、閲覧防止カバー５０３０は、表示側表示部５２１０を内包して表示側表示部５２１０が表示している表示データの閲覧を防止する袋形状を有していてよい。取り外し検知部５３０２は、表示側表示部５２１０から閲覧防止カバー５０３０が取り外されたことを検知する。具体的には、まず、取り外し検知部５３０２は、閲覧防止カバー５０３０の所定の位置に配置された配線５０４０が切断されたことを検知する。
【０１２３】
例えば、配線５０４０は、閲覧防止カバー５０３０が袋形状の場合には、袋の入り口の部分に配置されていてよい。そして、配線５０４０は、取り外し検知部５３０２に接続されている。取り外し検知部５３０２は、配線５０４０の抵抗値を監視して、配線５０４０の抵抗値が所定の基準値以上の抵抗値を検出した場合に、配線５０４０が切断された、すなわち配線５０４０を含む回路がオープンになったことを検知してよい。そして、取り外し検知部５３０２は、配線５０４０を含む回路がオープンになったことを検知することにより、表示側表示部５２１０から閲覧防止カバー５０３０が取り外されたことを検知してよい。
【０１２４】
また、取り外し検知部５３０２は、光センサ５２２０から受け取った光量に基づいて、表示側表示部５２１０から閲覧防止カバー５０３０が取り外されたことを検知してもよい。具体的には、取り外し検知部５３０２は、光センサ５２２０から受け取った光量が、予め定められた光量以上である場合に、表示側表示部５２１０から閲覧防止カバー５０３０が取り外されたことを検知する。また、光センサ５２２０が閲覧防止カバー５０３０の内側に配置されている場合には、取り外し検知部５３０２は、閲覧防止カバー５０３０の内側に光が照射された場合に、表示側表示部５２１０から閲覧防止カバー５０３０が取り外されたことを検知する。
【０１２５】
例えば、ユーザが、閲覧防止カバー５０３０の一部を切断して、切断した部分をめくって表示側表示部５２１０に表示されている表示データの閲覧を試みた場合には、めくられた部分の光センサ５２２０は照射される光量を検知する。そして、取り外し検知部５３０２は、光センサ５２２０が予め定められた光量以上の光量を検出した場合に、表示側表示部５２１０から閲覧防止カバー５０３０が取り外されたことを検知する。さらに、取り外し検知部５３０２は、配線５０４０に電流または所定の信号を伝播させてもよい。そして、取り外し検知部５３０２は、配線５０４０から電流または所定の信号を取得できない場合に、表示側表示部５２１０から閲覧防止カバー５０３０が取り外されたことを検知してもよい。なお、この場合において、取り外し検知部５３０２は、電流または所定の信号を完結的に配線５０４０に供給してよい。取り外し検知部５３０２は、表示側表示部５２１０から閲覧防止カバー５０３０が取り外されたことを示す情報を消去制御部５３０４に供給する。
【０１２６】
識別データ格納部５３２４は、表示側表示部５２１０が表示している表示データの閲覧が許可されているユーザを識別する識別データをユーザに対応づけて格納する。識別データ格納部５３２４がユーザに対応づけて格納する識別データは、例えば、ユーザを一意に識別するユーザ識別子、ユーザごとに予め定められたパスワード、およびユーザの生体情報であってよい。なお、生体情報は、ユーザの声紋データ、ユーザの指紋データ、ユーザの虹彩データ、およびユーザの指の静脈パターンを示す情報等であってよい。識別データ格納部５３２４は、認証部５３２０の制御に基づいて、ユーザに対応づけて格納している識別データを認証部５３２０に供給する。
【０１２７】
識別データ入力部５３２２は、ユーザに識別データを入力させる。識別データがパスワード等の文字列情報である場合には、識別データ入力部５３２２は、テンキー等の入力装置であってよい。また、識別データが生体情報である場合には、識別データ入力部５３２２は、指紋入力装置、音声入力装置、および静脈パターン識別装置等であってよい。識別データ入力部５３２２は、ユーザが入力した識別データを認証部５３２０に供給する。認証部５３２０は、識別データ入力部５３２２から受け取った識別データを、識別データ格納部５３２４にユーザに対応づけて格納されている識別データと照合する。そして、認証部５３２０は、識別データ入力部５３２２から受け取った識別データが、識別データ格納部５３２４にユーザに対応づけて格納されている識別データと同一の場合に認証情報を閲覧許可情報取得部５３０８に出力する。
【０１２８】
信号受信部５３１０は、閲覧防止カバー５０３０に配置され、信号発信部５２０４が発信した識別信号を受信する。信号受信部５３１０は、識別信号を受信したときの識別信号の受信強度を距離算出部５３１４に供給する。距離算出部５３１４は、信号受信部５３１０から受け取った識別信号の受信強度を用いて、閲覧防止カバー５０３０から表示側表示部５２１０までの距離を算出する。距離算出部５３１４は、算出した閲覧防止カバー５０３０から表示側表示部５２１０までの距離を、距離判断部５３１２に供給する。距離判断部５３１２は、距離算出部５３１４から受け取った距離が、予め定められた距離以下の場合に、距離情報を閲覧許可情報取得部５３０８に出力する。
【０１２９】
また、閲覧防止カバー５０３０は、時刻を取得する時刻取得部と、時刻取得部において取得された時刻が、閲覧防止カバー５０３０を表示側表示部５２１０から取り外すことが許可されている期間内であるか否かを判断する期間判断部とをさらに備えてもよい。具体的には、時刻取得部は、時刻を示す情報を含む標準電波を受信して、時刻を取得する。時刻取得部は、取得した時刻を期間判断部に供給する。期間判断部は、時刻取得部において取得された時刻が、閲覧防止カバー５０３０を表示側表示部５２１０から取り外すことが許可されている予め定められた期間内に含まれているか否かを判断する。そして、期間判断部は、時刻取得部において取得された時刻が予め定められた期間内に含まれると判断した場合に、時刻情報を閲覧許可情報取得部５３０８に出力する。
【０１３０】
閲覧許可情報取得部５３０８は、表示側表示部５２１０が表示している表示データの閲覧を許可する情報である閲覧許可情報を取得する。例えば、閲覧許可情報取得部５３０８は、認証部５３２０から認証情報を閲覧許可情報として取得する。また、閲覧許可情報取得部５３０８は、距離判断部５３１２から距離情報を閲覧許可情報として取得してもよい。さらに、閲覧許可情報取得部５３０８は、期間判断部から時刻情報を閲覧許可情報として取得してもよい。なお、閲覧許可情報取得部５３０８は、認証情報、距離情報、および時刻情報のうちの１つ、または、認証情報、距離情報、および時刻情報のうちの少なくとも２つの組み合わせを閲覧許可情報として取得してもよい。閲覧許可情報取得部５３０８は、閲覧許可情報を取得した旨を、閲覧許可情報を取得した日時に対応づけて消去制御部５３０４に供給する。
【０１３１】
消去制御部５３０４は、閲覧許可情報取得部５３０８から閲覧許可情報を受け取る前に、取り外し検知部５３０２から、表示側表示部５２１０から閲覧防止カバー５０３０が取り外されたことを示す情報を受け取った場合に、表示側表示部５２１０が表示している表示データを消去させる。具体的には、消去制御部５３０４は、表示データ消去部５２０２に働きかけて、表示側表示部５２１０が表示している表示データを消去させる。例えば、消去制御部５３０４は、閲覧許可情報取得部５３０８から閲覧許可情報を受け取る前に、配線５０４０が切断された場合に、表示データ消去部５２０２に表示側表示部５２１０が表示している表示データを消去させる。
【０１３２】
また、消去制御部５３０４は、閲覧許可情報取得部５３０８から認証情報を取得する前に取り外し検知部５３０２から、表示側表示部５２１０から閲覧防止カバー５０３０が取り外されたことを示す情報を受け取った場合に、表示側表示部５２１０が表示している表示データを消去させてもよい。また、消去制御部５３０４は、閲覧許可情報取得部５３０８から距離情報を取得する前に取り外し検知部５３０２から、表示側表示部５２１０から閲覧防止カバー５０３０が取り外されたことを示す情報を受け取った場合に、表示側表示部５２１０が表示している表示データを消去させてもよい。さらに、消去制御部５３０４は、閲覧許可情報取得部５３０８から時刻情報を取得する前に取り外し検知部５３０２から、表示側表示部５２１０から閲覧防止カバー５０３０が取り外されたことを示す情報を受け取った場合に、表示側表示部５２１０が表示している表示データを消去させてもよい。
【０１３３】
第２電力発生部５３０６は、消去制御部５３０４が表示データ消去部５２０２を制御して表示側表示部５２１０に表示されている表示データを消去させるときに要する電力を発生する。具体的には、第２電力発生部５３０６は、照射された光エネルギーを電力に変換する。例えば、第２電力発生部５３０６は太陽電池であってよい。そして、消去制御部５３０４は、第２電力発生部５３０６が光エネルギーから変換した電力を用いて、表示データ消去部５２０２を制御する。なお、第２電力発生部５３０６は、請求項に記載の電力発生部の一例である。
【０１３４】
本実施形態に係る閲覧管理システム５０００によれば、表示側表示部５２１０に表示されている表示データの閲覧を許可する情報、例えばパスワードを取得する前に表示側表示部５２１０に覆われている閲覧防止カバー５０３０が取り外されたことを検知した場合に、自動的に表示側表示部５２１０に表示されている表示データを消去することができる。これにより、例えば、表示データの閲覧を許可されているユーザだけが、表示側表示部５２１０に表示されている表示データを閲覧できるので、表示データの機密性を高めることができる。
【０１３５】
また、本実施形態に係る閲覧管理システム５０００によれば、表示装置２０が閲覧防止カバー５０３０から予め定められた距離だけ離れた場合に、表示装置２０が表示している表示データを自動的に消去できる。したがって、閲覧防止カバー５０３０を所定の位置に固定しておくことにより、閲覧防止カバー５０３０から表示装置２０を取り出して、閲覧防止カバー５０３０から予め定められた距離だけ離れた場所に持ち出すことを防止できる。
【０１３６】
図１４は、本発明の他の実施形態に係る配線５０４２の配置の一例を示す。配線５０４２は、閲覧防止カバー５０３０の周囲に沿って配置されていてもよい。なお、閲覧防止カバー５０３０の形状は袋形状であってよい。具体的には、配線５０４２は、閲覧防止カバー５０３０の複数の辺の近傍に沿って配置されている。例えば、配線５０４２は、閲覧防止カバー５０３０の４つの辺の近傍に沿って配置されていてよい。また、配線５０４２は、閲覧防止カバー５０３０の４つの辺のうち、少なくとも１つの辺の近傍に沿って配置されていてもよい。そして、配線５０４２は、袋が開けられた場合に切断される可能性が高い位置に配置されることが好ましい。
【０１３７】
また、表示装置２０を閲覧防止カバー５０３０に入れて、閲覧防止カバー５０３０のふたを閉めたときに配線５０４２を含む回路がクローズとなるべく、配線５０４２は配置されていてよい。例えば、閲覧防止カバー５０３０のふたの部分と閲覧防止カバー５０３０の本体の部分とのそれぞれに、配線５０４２の一部分がそれぞれ配置されていてよい。そして、閲覧防止カバー５０３０のふたを閉めたときに、ふたの部分の配線５０４２の一部分と本体の部分の配線５０４２の一部分とが接触して、配線５０４２を含む回路がクローズとなるべく、配線５０４２は配置されていてよい。
【０１３８】
そして、閲覧防止カバー側処理ユニット５３００が有する取り外し検知部５３０２は、配線５０４２を含む回路の抵抗値を監視する。配線５０４２を含む回路の抵抗値が予め定められた値以上となった場合に、取り外し検知部５３０２は、表示側表示部５２１０から閲覧防止カバー５０３０が取り外されたことを検知する。例えば、ユーザが、閲覧防止カバー側処理ユニット５３００にパスワード等の識別データを入力しない場合には、閲覧防止カバー側処理ユニット５３００は閲覧許可情報を取得しない。係る場合において、ユーザが閲覧防止カバー５０３０の一部を切断して表示装置２０を閲覧防止カバー５０３０から取り出すと、配線５０４２の一部も切断される。そして、配線５０４２を含む回路の抵抗値が予め定められた値以上である場合に、閲覧防止カバー側処理ユニット５３００は、表示部側処理ユニット５２００に働きかけて表示装置２０に表示されている表示データを消去させる。
【０１３９】
ここで、配線５０４２は、閲覧防止カバー５０３０が切断される場合（例えば、破る場合）における、閲覧防止カバー５０３０の材質が示す強度以下であることが好ましい。すなわち、閲覧防止カバー５０３０の一部を切断した場合に、配線５０４２も切断されるように、配線５０４２の強度を設定してよい。例えば、閲覧防止カバー５０３０が紙製である場合には、配線５０４２の強度は、閲覧防止カバー５０３０を切断した場合に配線５０４２も切断される強度であってよい。また、配線５０４２の強度を、ユーザが閲覧防止カバー５０３０を切断するときに閲覧防止カバー５０３０に配線５０４２が配置されていることをユーザが認識できない強度に設定してもよい。
【０１４０】
本実施形態に係る配線５０４２の配置によれば、ユーザがパスワード等の認証データを閲覧防止カバー５０３０に入力せずに閲覧防止カバー５０３０を切断して表示装置２０を取り出した場合に、表示装置２０が表示している表示データを自動的に消去できる。これにより、表示装置２０が表示している表示データが、不正な手段で閲覧されることを防止できる。
【０１４１】
図１５は、本発明の他の実施形態に係る配線５０４４の配置の一例を示す。なお、閲覧防止カバー５０３０の形状は袋形状であってよい。配線５０４４は、表示装置２０の端と閲覧防止カバー側処理ユニット５３００とを接続する配線５０４４であってよい。具体的には、配線５０４４の表示装置２０側の末端はクリップ形状を有しており、表示装置２０を閲覧防止カバー５０３０に挿入したときに、配線５０４４の末端のクリップが表示装置２０を挟み込む。そして、クリップは、表示装置２０が挿入されることにより配線５０４４を含む回路をクローズにする機械接点を有していてよい。
【０１４２】
なお、配線５０４４と接続された複数のクリップが表示装置２０を挟み込んでもよい。例えば、表示装置２０の複数の隅のそれぞれが、複数のクリップのそれぞれによって挟み込まれてもよい。また、クリップが表示装置２０を挟む強度は、閲覧防止カバー５０３０から表示装置２０を引き出すときにユーザが表示装置２０に加える力によって、配線５０４４に接続されたクリップが閲覧防止カバー５０３０から外れる強度で保持することが好ましい。また、クリップは、表示装置２０が挿入されることにより配線５０４４を含む回路がオープンになる機械接点であってもよい。
【０１４３】
そして、閲覧防止カバー側処理ユニット５３００が有する取り外し検知部５３０２は、配線５０４４を含む回路の抵抗値を監視する。配線５０４４を含む回路の抵抗値が予め定められた値以上となった場合に、取り外し検知部５３０２は、表示側表示部５２１０から閲覧防止カバー５０３０が取り外されたことを検知する。例えば、ユーザが、閲覧防止カバー側処理ユニット５３００にパスワード等の識別データを入力しない場合には、閲覧防止カバー側処理ユニット５３００は閲覧許可情報を取得しない。係る場合において、閲覧防止カバー５０３０から表示装置２０を引き抜いた場合には、配線５０４４はオープンとなる。
【０１４４】
そして、配線５０４４を含む回路の抵抗値が予め定められた値以上となった場合に、閲覧防止カバー側処理ユニット５３００は、表示部側処理ユニット５２００に働きかけて表示装置２０に表示されている表示データを消去させる。なお、閲覧防止カバー側処理ユニット５３００は、表示部側処理ユニット５２００に、無線通信により消去命令を送信してもよい。そして、表示部側処理ユニット５２００は、閲覧防止カバー側処理ユニット５３００から消去命令を受信した場合に、表示装置２０に表示されている表示データを消去してよい。
【０１４５】
また、クリップが、表示装置２０が挿入されることにより配線５０４４を含む回路がオープンになる機械接点を有している場合を考える。係る場合には、取り外し検知部５３０２は、配線５０４４を含む回路の抵抗値が予め定められた値以下となった場合に、表示側表示部５２１０から閲覧防止カバー５０３０が取り外されたことを検知してよい。そして、配線５０４４を含む回路の抵抗値が予め定められた値以下となった場合に、閲覧防止カバー側処理ユニット５３００は、表示部側処理ユニット５２００に働きかけて表示装置２０に表示されている表示データを消去させてもよい。
【０１４６】
図１６は、本発明の他の実施形態に係る閲覧防止カバー５０３２の一例を示す。閲覧防止カバー５０３２は、図１２から図１５の上記説明における閲覧防止カバー５０３０、配線５０４２、および配線５０４４の機能、および構成の一部、または全部を有していてよい。ここで、閲覧防止カバー５０３２は、表示装置２０が表示している表示データの閲覧を防止すべく表示装置２０を覆うバインダ形状であってよい。閲覧防止カバー５０３２は、表示装置２０を挟み込むことにより、表示装置２０が表示している表示データの閲覧を防止する。なお、閲覧防止カバー５０３２は止め具を有していてよい。そして、止め具に配線５０４０が配置されていてよい。例えば、表示装置２０を挟み込んで閲覧防止カバー５０３２の止め具を止めたときに、配線５０４０がクローズとなるべく位置に、配線５０４０を配置していてよい。
【０１４７】
まず、表示装置２０を閲覧防止カバー５０３２に挟み込んで、閲覧防止カバー５０３２を閉じると、閲覧防止カバー５０３２に配置されている配線５０４０がクローズとなる。閲覧防止カバー側処理ユニット５３００は、配線５０４０を含む回路の抵抗値を監視して、閲覧防止カバー５０３２から表示装置２０が取り外されたことを検知する。そして、ユーザが識別データ入力部５３２２にパスワード等の識別データを入力せずに閲覧防止カバー５０３２を開けて表示装置２０を取り出した場合には、閲覧防止カバー側処理ユニット５３００は、表示装置２０が表示している表示データを消去させる。
【０１４８】
図１７は、本発明の他の実施形態に係る閲覧防止カバー５０３４の一例を示す。閲覧防止カバー５０３２は、図１２から図１５の上記説明における閲覧防止カバー５０３０、配線５０４２、および配線５０４４の機能、および構成の一部、または全部を有していてよい。ここで、閲覧防止カバー５０３４は、表示装置２０が表示している表示データの閲覧を防止すべく表示装置２０の表示領域を覆うシート形状であってよい。閲覧防止カバー５０３４は、表示装置２０の表示領域を覆うことにより、表示装置２０が表示している表示データの閲覧を防止する。また、表示装置２０の所定の位置に光センサ５２２０が配置されていてよい。例えば、光センサ５２２０は、表示装置２０が閲覧防止カバー５０３４によって覆われた場合に、閲覧防止カバー５０３４によって覆われる位置に配置されていてよい。
【０１４９】
まず、表示装置２０の表示領域に閲覧防止カバー５０３４を覆いかぶせると、表示装置２０に配置されている光センサ５２２０も覆われる。閲覧防止カバー側処理ユニット５３００は、光センサ５２２０から光量を受け取って、表示装置２０から閲覧防止カバー５０３０が取り外されたことを検知する。例えば、ユーザが識別データ入力部５３２２にパスワード等の識別データを入力せずに閲覧防止カバー５０３４を取り外すと、光センサ５２２０に光が照射される。そして、光センサ５２２０が検出した光量が予め定められた光量以上である場合に、閲覧防止カバー側処理ユニット５３００は、表示装置２０が表示している表示データを消去させる。
【０１５０】
図１８は、本実施形態に係るコンピュータシステムのハードウェア構成の一例を示す。本実施形態に係るコンピュータシステムは、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【０１５１】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【０１５２】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、コンピュータシステム内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【０１５３】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、コンピュータシステムが起動時に実行するブート・プログラム、コンピュータシステムのハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【０１５４】
ＲＡＭ１５２０を介してハードディスクドライブ１５４０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介してコンピュータシステム内のハードディスクドライブ１５４０にインストールされ、ＣＰＵ１５０５において実行される。
【０１５５】
コンピュータシステムにインストールされて実行されるプログラムは、ＣＰＵ１５０５等に働きかけて、コンピュータシステムを、図１から図６にかけて説明した表示側表示部２００、表示側表示制御部２１０、表示側通信部２２０、格納ユニット２３０、ファイル識別子格納部２３２、更新日時格納部２３４、受電部２４０、処理側表示部３００、処理側表示制御部３１０、第１処理側通信部３２０、ファイルデータ制御ユニット３３０、ファイルデータオープン制御部３３２、ファイルデータクローズ制御部３３４、ファイルデータ取得部３４０、編集制御部３５０、更新有無判断部３６０、更新有無通知部３６２、編集指示取得部３７０、情報入力部３７４、ファイルデータ格納部３９０、給電部４００、および給電制御部４１０の少なくとも一部として機能させる。
【０１５６】
また、コンピュータシステムにインストールされて実行されるプログラムは、ＣＰＵ１５０５等に働きかけて、コンピュータシステムを、図７から図１１にかけて説明した、表示側表示部２００、表示側表示制御部２１０、表示側通信部２２０、格納ユニット２３０、ファイル識別子格納部２３２、更新日時格納部２３４、受電部２４０、処理側表示部３００、処理側表示制御部３１０、第１処理側通信部３２０、ファイルデータ制御ユニット３３０、ファイルデータオープン制御部３３２、ファイルデータクローズ制御部３３４、ファイルデータ取得部３４０、編集制御部３５０、更新有無判断部３６０、更新有無通知部３６２、編集指示取得部３７０、情報入力部３７４、ファイルデータ格納部３９０、給電部４００、給電制御部４１０、電子ペーパ検出部２０１０、処理側通知部２０２０、第２処理側通信部２０３０、サーバ側通信部２１１０、ファイル格納部２１２０、利用可能装置格納部２１３０、権限格納部２１４０、利用装置格納部２１５０、および利用制御部２２００の少なくとも一部として機能させてもよい。
【０１５７】
また、コンピュータシステムにインストールされて実行されるプログラムは、ＣＰＵ１５０５等に働きかけて、コンピュータシステムを、図１２から図１７にかけて説明した表示部側処理ユニット５２００、表示データ消去部５２０２、信号発信部５２０４、第１電力発生部５２０６、表示側表示部５２１０、閲覧防止カバー側処理ユニット５３００、取り外し検知部５３０２、消去制御部５３０４、第２電力発生部５３０６、閲覧許可情報取得部５３０８、信号受信部５３１０、距離判断部５３１２、距離算出部５３１４、認証部５３２０、識別データ入力部５３２２、および識別データ格納部５３２４の少なくとも一部として機能させてもよい。
【０１５８】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【０１５９】
【図１】表示システム１０の概要を示す。
【図２】表示装置２０および給電装置４０の機能構成を示す。
【図３】情報処理装置３０の機能構成を示す。
【図４】表示システム１０の処理の流れを示す。
【図５】表示システム１０の処理の流れを示す。
【図６】表示システム１０の処理の流れを示す。
【図７】表示システム１０００の概要を示す。
【図８】情報処理装置２００３の機能構成を示す。
【図９】サーバ２００６の機能構成を示す。
【図１０】権限格納部２１４０に格納された閲覧権限および編集権限のデータテーブルを示す。
【図１１】第２処理側通信部２０３０に格納された装置識別子のデータテーブルを示す。
【図１２】閲覧管理システム５０００の概要を示す。
【図１３】閲覧管理システム５０００の機能構成を示す。
【図１４】配線５０４２の配置を示す。
【図１５】配線５０４４の配置を示す。
【図１６】閲覧防止カバー５０３２を示す。
【図１７】閲覧防止カバー５０３４を示す。
【図１８】コンピュータシステムのハードウェア構成を示す。
【符号の説明】
【０１６０】
１０、１０００  表示システム
２０、２２、２４  表示装置
３０、２００３  情報処理装置
４０  給電装置
５０  机
５２  本棚
２００、５２１０  表示側表示部
２１０  表示側表示制御部
２２０  表示側通信部
２３０  格納ユニット
２３２  ファイル識別子格納部
２３４  更新日時格納部
２４０  受電部
３００  処理側表示部
３０２  モニタ
３１０  処理側表示制御部
３２０  第１処理側通信部
３２２  アンテナ
３３０  ファイルデータ制御ユニット
３３２  ファイルデータオープン制御部
３３４  ファイルデータクローズ制御部
３４０  ファイルデータ取得部
３５０  編集制御部
３６０  更新有無判断部
３６２  更新有無通知部
３７０  編集指示取得部
３７４  情報入力部
３７６  キーボード
３７８  マウス
３９０  ファイルデータ格納部
４００  給電部
４１０  給電制御部
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
２００２  表示システム
２００４  受付システム
２００６  サーバ
２０１０  電子ペーパ検出部
２０２０  処理側通知部
２０３０  第２処理側通信部
２１１０  サーバ側通信部
２１２０  ファイル格納部
２１３０  利用可能装置格納部
２１４０  権限格納部
２１５０  利用装置格納部
２２００  利用制御部
５０００  閲覧管理システム
５０３０、５０３２、５０３４  閲覧防止カバー
５０４０、５０４２、５０４４  配線
５２００  表示部側処理ユニット
５２０２  表示データ消去部
５２０４  信号発信部
５２０６  第１電力発生部
５２２０  光センサ
５３００  閲覧防止カバー側処理ユニット
５３０２  取り外し検知部
５３０４  消去制御部
５３０６  第２電力発生部
５３０８  閲覧許可情報取得部
５３１０  信号受信部
５３１２  距離判断部
５３１４  距離算出部
５３２０  認証部
５３２２  識別データ入力部
５３２４  識別データ格納部
【図１】
2007334864.tif 000003
【図２】
2007334864.tif 000004
【図３】
2007334864.tif 000005
【図４】
2007334864.tif 000006
【図５】
2007334864.tif 000007
【図６】
2007334864.tif 000008
【図７】
2007334864.tif 000009
【図８】
2007334864.tif 000010
【図９】
2007334864.tif 000011
【図１０】
2007334864.tif 000012
【図１１】
2007334864.tif 000013
【図１２】
2007334864.tif 000014
【図１３】
2007334864.tif 000015
【図１４】
2007334864.tif 000016
【図１５】
2007334864.tif 000017
【図１６】
2007334864.tif 000018
【図１７】
2007334864.tif 000019
【図１８】
2007334864.tif 000020